(57)【要約】【課題】マルチディスプレイシステムを容易に構築できる表示装置を提供すること。【解決手段】表示装置４の制御装置４３は、送受信部４３３の接続状態を検出する接続状態検出部４３４と、接続状態に応じて当該表示装置に割り当てられた識別情報を送信させる送信制御部４３５と、接続状態や受信した識別情報に基づいて当該表示装置の接続順序を認識する演算処理部４３６と、設定入力された相対位置情報および接続順序に関する接続順序情報を関連付けた位置順序関連情報を送信させる送信制御部４３５と、全ての表示装置における各位置順序関連情報に基づいて、複数の表示装置が表示すべき部分画像の各位置の配列構成および当該表示装置が表示すべき部分画像の絶対位置を認識する演算処理部４３６と、配列構成および絶対位置に基づいて原画像情報から部分画像情報を生成する部分画像情報生成部４３８１Ａとを備える。【選択図】図２
2008040206.tif 000002
【特許請求の範囲】
【請求項１】
入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置であって、
他の表示装置に接続し、接続された前記他の表示装置との間でそれぞれ情報を送受信するための第１の送受信部および第２の送受信部と、
前記接続された他の表示装置と当該表示装置との相対位置に関する相対位置情報を設定入力可能とする設定入力部と、
前記原画像情報から前記部分画像情報を生成し、前記部分画像情報に基づく部分画像を表示部に表示させる制御装置とを備え、
前記制御装置は、
前記第１の送受信部の接続状態、および前記第２の送受信部の接続状態を検出する接続状態検出部と、
前記接続状態検出部にて検出された接続状態に応じて、前記第１の送受信部および前記第２の送受信部のうちいずれかの送受信部を介して、当該表示装置に割り当てられた識別情報を送信させる識別情報送信制御部と、
前記接続状態検出部にて検出された接続状態、および受信した前記識別情報のうち少なくともいずれかに基づいて、前記複数の表示装置における当該表示装置の接続順序を認識する接続順序認識部と、
前記第１の送受信部および前記第２の送受信部のうち少なくともいずれかの送受信部を介して、前記設定入力部に設定入力された相対位置情報、および前記接続順序認識部にて認識された接続順序に関する接続順序情報を関連付けた位置順序関連情報を送信させる関連情報送信制御部と、
当該表示装置における位置順序関連情報、および受信した他の全ての表示装置における各位置順序関連情報に基づいて、前記複数の表示装置が表示すべき部分画像の各位置の配列構成および当該表示装置が表示すべき部分画像の絶対位置を認識する構成位置認識部と、
前記構成位置認識部にて認識された配列構成、および絶対位置に基づいて、前記原画像情報の少なくとも一部の画像情報を切り出して前記部分画像情報を生成する部分画像情報生成部とを備えている
ことを特徴とする表示装置。
【請求項２】
請求項１に記載の表示装置において、
前記各部分画像は、少なくとも一部が重なり合う重なり領域を有して前記原画像を構成するものであり、
前記部分画像情報生成部は、前記部分画像の重なり領域を含んだ範囲の画像情報を前記原画像情報から切り出して前記部分画像情報を生成する
ことを特徴とする表示装置。
【請求項３】
請求項２に記載の表示装置において、
前記部分画像の重なり領域の明るさを調整する明るさ調整部を備えている
ことを特徴とする表示装置。
【請求項４】
請求項１から請求項３のいずれかに記載の表示装置において、
前記制御装置は、
前記構成位置認識部にて認識された配列構成および絶対位置に基づいて、一画面の少なくとも一部を構成する参照部分画像を前記表示部に表示させる参照画像表示制御を実施する参照画像表示制御部を備えている
ことを特徴とする表示装置。
【請求項５】
請求項４に記載の表示装置において、
前記参照画像表示制御部は、当該表示装置の電源投入時において、前記参照画像表示制御を実施する
ことを特徴とする表示装置。
【請求項６】
請求項４または請求項５に記載の表示装置において、
前記参照部分画像は、当該表示装置の設置位置を調整するための案内情報を含んで構成されている
ことを特徴とする表示装置。
【請求項７】
入力した原画像情報から部分画像情報を生成し、前記部分画像情報に基づく部分画像を表示する複数の表示装置を有し、前記複数の表示装置が表示する各部分画像によって前記原画像情報に基づく原画像を表示するマルチディスプレイシステムであって、
前記複数の表示装置は、請求項１から請求項６のいずれかに記載の表示装置で構成されている
ことを特徴とするマルチディスプレイシステム。
【請求項８】
入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置の画像情報生成方法であって、
前記表示装置は、
他の表示装置に接続し、接続された前記他の表示装置との間でそれぞれ情報を送受信するための第１の送受信部および第２の送受信部と、
前記接続された他の表示装置と自身の表示装置との相対位置に関する相対位置情報を設定入力可能とする設定入力部と、
前記原画像情報から前記部分画像情報を生成し、前記部分画像情報に基づく部分画像を表示部に表示させる制御装置とを備え、
当該画像情報生成方法は、
前記制御装置が、
前記第１の送受信部の接続状態、および前記第２の送受信部の接続状態を検出する接続状態検出ステップと、
前記接続状態検出ステップにて検出した接続状態に応じて、前記第１の送受信部および前記第２の送受信部のうちいずれかの送受信部を介して、自身の表示装置に割り当てられた識別情報を送信させる識別情報送信制御ステップと、
前記接続状態検出ステップにて検出した接続状態、および受信した前記識別情報のうち少なくともいずれかに基づいて、前記複数の表示装置における自身の表示装置の接続順序を認識する接続順序認識ステップと、
前記第１の送受信部および前記第２の送受信部のうち少なくともいずれかの送受信部を介して、前記設定入力部に設定入力された相対位置情報、および前記接続順序認識ステップにて認識した接続順序に関する接続順序情報を関連付けた位置順序関連情報を送信させる関連情報送信制御ステップと、
自身の表示装置における位置順序関連情報、および受信した他の全ての表示装置における各位置順序関連情報に基づいて、前記複数の表示装置が表示すべき部分画像の各位置の配列構成および自身の表示装置が表示すべき部分画像の絶対位置を認識する構成位置認識ステップと、
前記構成位置認識ステップにて認識した配列構成、および絶対位置に基づいて、前記原画像情報の少なくとも一部の画像情報を切り出して前記部分画像情報を生成する部分画像
情報生成ステップとを実行する
ことを特徴とする画像情報生成方法。
【請求項９】
入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置の画像情報生成プログラムであって、
前記表示装置は、
他の表示装置に接続し、接続された前記他の表示装置との間でそれぞれ情報を送受信するための第１の送受信部および第２の送受信部と、
前記接続された他の表示装置と自身の表示装置との相対位置に関する相対位置情報を設定入力可能とする設定入力部と、
前記原画像情報から前記部分画像情報を生成し、前記部分画像情報に基づく部分画像を表示部に表示させる制御装置とを備え、
前記第１の送受信部の接続状態、および前記第２の送受信部の接続状態を検出する接続状態検出ステップと、
前記接続状態検出ステップにて検出した接続状態に応じて、前記第１の送受信部および前記第２の送受信部のうちいずれかの送受信部を介して、自身の表示装置に割り当てられた識別情報を送信させる識別情報送信制御ステップと、
前記接続状態検出ステップにて検出した接続状態、および受信した前記識別情報のうち少なくともいずれかに基づいて、前記複数の表示装置における自身の表示装置の接続順序を認識する接続順序認識ステップと、
前記第１の送受信部および前記第２の送受信部のうち少なくともいずれかの送受信部を介して、前記設定入力部に設定入力された相対位置情報、および前記接続順序認識ステップにて認識した接続順序に関する接続順序情報を関連付けた位置順序関連情報を送信させる関連情報送信制御ステップと、
自身の表示装置における位置順序関連情報、および受信した他の全ての表示装置における各位置順序関連情報に基づいて、前記複数の表示装置が表示すべき部分画像の各位置の配列構成および自身の表示装置が表示すべき部分画像の絶対位置を認識する構成位置認識ステップと、
前記構成位置認識ステップにて認識した配列構成、および絶対位置に基づいて、前記原画像情報の少なくとも一部の画像情報を切り出して前記部分画像情報を生成する部分画像情報生成ステップとを前記制御装置に実行させる
ことを特徴とする画像情報生成プログラム。
【請求項１０】
請求項９に記載の画像情報生成プログラムがコンピュータに読取可能に記録されていることを特徴とする画像情報生成プログラムを記録した記録媒体。
【発明の詳細な説明】
【技術分野】
【０００１】
本発明は、表示装置、マルチディスプレイシステム、画像情報生成方法、画像情報生成プログラム、および記録媒体に関する。
【背景技術】
【０００２】
従来、入力した原画像情報から部分画像情報を生成し、部分画像情報に基づく部分画像を表示する複数の表示装置（例えば、プロジェクタ）を有し、複数の表示装置が表示する各部分画像によって原画像情報に基づく原画像を、高輝度、高解像度、および大画面で表示するマルチディスプレイシステム（投写表示システム）が知られている（例えば、特許文献１参照）。
特許文献１に記載の技術では、マルチディスプレイシステムの設営時において、１台のコンピュータ（以下、ＰＣと記載）と、全てのプロジェクタとをカスケード接続する。そして、各プロジェクタは、ＰＣから順次出力される制御信号に基づいて、接続順序の番号データ、および接続された台数データを認識し、番号データメモリおよび台数データメモリにそれぞれ格納する。また、設置作業者がＰＣの表示部に表示された設定画面により各プロジェクタの処理条件（番号データおよび台数データに関連付けられ、部分画像の抽出範囲や拡大倍率に関する処理条件）を設定すると、ＰＣと各プロジェクタとを接続するケーブルを介して、各プロジェクタの処理条件メモリ内に処理条件が格納される。
そして、各プロジェクタは、入力した原画像情報から、番号データメモリおよび台数データメモリにそれぞれ格納された番号データおよび台数データに関連付けられた処理条件（抽出範囲、拡大倍率）を処理条件メモリから認識し、該処理条件で原画像情報から部分画像情報を抽出および拡大して、部分画像を表示する。
【０００３】
【特許文献１】特開２００２−２０７２４７号公報
【発明の開示】
【発明が解決しようとする課題】
【０００４】
しなしながら、特許文献１に記載の技術では、マルチディスプレイシステムの設営時において、接続された台数や接続順序の番号を設定する際、ＰＣおよび各プロジェクタをカスケード接続する必要がある。また、処理条件を設定する際には、ＰＣの表示部に表示された設定画面上で各プロジェクタの処理条件を設定する必要がある。すなわち、マルチディスプレイシステムの設営時において、ＰＣが必須の要件となり、プロジェクタが自律的に部分画像情報の生成に必要な情報を認識できないため、動作設定が複雑なものとなり、マルチディスプレイシステムの構築が難しいという問題がある。
【０００５】
本発明の目的は、マルチディスプレイシステムを容易に構築できる表示装置、マルチディスプレイシステム、画像情報生成方法、画像情報生成プログラム、および記録媒体を提供することにある。
【課題を解決するための手段】
【０００６】
本発明の表示装置は、入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置であって、
他の表示装置に接続し、接続された前記他の表示装置との間でそれぞれ情報を送受信するための第１の送受信部および第２の送受信部と、前記接続された他の表示装置と当該表
示装置との相対位置に関する相対位置情報を設定入力可能とする設定入力部と、前記原画像情報から前記部分画像情報を生成し、前記部分画像情報に基づく部分画像を表示部に表示させる制御装置とを備え、前記制御装置は、前記第１の送受信部の接続状態、および前記第２の送受信部の接続状態を検出する接続状態検出部と、前記接続状態検出部にて検出された接続状態に応じて、前記第１の送受信部および前記第２の送受信部のうちいずれかの送受信部を介して、当該表示装置に割り当てられた識別情報を送信させる識別情報送信制御部と、前記接続状態検出部にて検出された接続状態、および受信した前記識別情報のうち少なくともいずれかに基づいて、前記複数の表示装置における当該表示装置の接続順序を認識する接続順序認識部と、前記第１の送受信部および前記第２の送受信部のうち少なくともいずれかの送受信部を介して、前記設定入力部に設定入力された相対位置情報、および前記接続順序認識部にて認識された接続順序に関する接続順序情報を関連付けた位置順序関連情報を送信させる関連情報送信制御部と、当該表示装置における位置順序関連情報、および受信した他の全ての表示装置における各位置順序関連情報に基づいて、前記複数の表示装置が表示すべき部分画像の各位置の配列構成、および当該表示装置が表示すべき部分画像の絶対位置を認識する構成位置認識部と、前記構成位置認識部にて認識された配列構成、および絶対位置に基づいて、前記原画像情報の少なくとも一部の画像情報を切り出して前記部分画像情報を生成する部分画像情報生成部とを備えていることを特徴とする。
【０００７】
ここで、隣接接続された他の表示装置と当該表示装置との相対位置に関する相対位置情報としては、以下の４種類の相対位置情報が例示できる。
１つ目の相対位置情報としては、自身の表示装置に対する自身の表示装置に直列接続された後段側の表示装置の相対位置（例えば、上、下、左、右等）に関する情報である。
２つ目の相対位置情報としては、自身の表示装置に対する自身の表示装置に直列接続された前段側の表示装置の相対位置（例えば、上、下、左、右等）に関する情報である。
３つ目の相対位置情報としては、自身の表示装置に直列接続された後段側の表示装置に対する自身の表示装置の相対位置（例えば、上、下、左、右等）に関する情報である。
４つ目の相対位置情報としては、自身の表示装置に直列接続された前段側の表示装置に対する自身の表示装置の相対位置（例えば、上、下、左、右等）に関する情報である。
【０００８】
本発明では、表示装置は、第１の送受信部および第２の送受信部と、設定入力部と、接続状態検出部、識別情報送信制御部、接続順序認識部、関連情報送信制御部、構成位置認識部、および部分画像情報生成部を有する制御装置とを備えているので、例えば、以下に示すように、原画像情報から部分画像情報を生成できる。
【０００９】
すなわち、接続状態検出部は、第１の送受信部の接続状態（他の表示装置と第１の送受信部とが情報の送受信可能に接続している状態）、および第２の送受信部の接続状態（他の表示装置と第２の送受信部とが情報の送受信可能に接続している状態）を検出する。
次に、識別情報送信制御部は、接続状態検出部にて検出された接続状態に応じて、以下の処理を実行する。
例えば、識別情報送信制御部は、接続状態検出部にて第１の送受信部および第２の送受信部のうちいずれか一方の送受信部のみが接続状態である（いずれか他方の送受信部が非接続状態である）と検出された場合に、自身の表示装置に割り当てられる識別情報として末端（最前段または最後段）に接続された表示装置である旨の識別情報を前記一方の送受信部に送信させる。
また、例えば、識別情報送信制御部は、接続状態検出部にて第１の送受信部および第２の送受信部の双方が接続状態であると検出された場合に、他の表示装置から受信した識別情報（末端（最前段または最後段）からｎ番目に接続された表示装置である旨の情報）に基づいて、自身の表示装置に割り当てられる識別情報として末端からｎ＋１番目に接続された表示装置である旨の識別情報を第１の送受信部および第２の送受信部のうち少なくと
もいずれかの送受信部に送信させる。
【００１０】
次に、接続順序認識部は、接続状態検出部にて検出された接続状態、または、他の表示装置から受信した識別情報に基づいて、以下に示すように、直列に接続された各表示装置における自身の表示装置の接続順序を認識する。
例えば、接続順序認識部は、接続状態検出部にて第１の送受信部および第２の送受信部のうちいずれか一方の送受信部のみが接続状態である（いずれか他方の送受信部が非接続状態である）と検出された場合に、自身の表示装置の接続順序が「最前段から１番目」または「最後段から１番目」の接続順序であると認識する。
また、例えば、接続順序認識部は、接続状態検出部にて第１の送受信部および第２の送受信部の双方が接続状態であると検出された場合には、他の表示装置から受信した識別情報（末端（最前段または最後段）からｎ番目に接続された表示装置である旨の情報）に基づいて、自身の表示装置の接続順序が「最前段からｎ＋１番目」または「最後段からｎ＋１番目」の接続順序であると認識する。
【００１１】
次に、関連情報送信制御部は、第１の送受信部および第２の送受信部のうち少なくともいずれかの送受信部を介して、設定入力部に設定入力された相対位置情報、および接続順序認識部にて認識された接続順序に関する接続順序情報を関連付けた位置順序関連情報を送信させる。
【００１２】
次に、構成位置認識部は、自身の表示装置における位置順序関連情報、および受信した他の全ての表示装置における位置順序関連情報に基づいて、複数の表示装置が表示すべき部分画像の各位置の配列構成、および自身の表示装置が表示すべき部分画像の絶対位置を認識する。
例えば、構成位置認識部は、相対位置情報が上述した１つ目の相対位置情報で構成されている場合には、以下に示すように、配列構成および絶対位置を認識できる。
すなわち、構成位置認識部は、全ての表示装置における位置順序関連情報のうち、接続順序情報に基づく接続順序が「最前段から１番目」または「最後段から１番目」である位置順序関連情報を検出し、該位置順序関連情報における相対位置情報に基づいて、「最前段から１番目」または「最後段から１番目」の接続順序である表示装置が表示すべき部分画像の位置に対する「最前段から２番目」または「最後段から２番目」の接続順序である表示装置が表示すべき部分画像の相対位置を認識する。同様に、構成位置認識部は、全ての表示装置における位置順序関連情報のうち、接続順序情報に基づく接続順序が「最前段から２番目」または「最後段から２番目」である位置順序関連情報を検出し、該位置順序関連情報における相対位置情報に基づいて、「最前段から２番目」または「最後段から２番目」の接続順序である表示装置が表示すべき部分画像の位置に対する「最前段から３番目」または「最後段から３番目」の接続順序である表示装置が表示すべき部分画像の相対位置を認識する。以上のように、構成位置認識部は、順次、上記の処理を実施することで、複数の表示装置が表示すべき部分画像の各位置の配列構成（原画像を構成する部分画像のレイアウト（縦ｎ×横ｍ（ｎ×ｍ）））を認識する。
また、構成位置認識部は、全ての表示装置における位置順序関連情報のうち、自身の表示装置における位置順序関連情報に基づく接続順序情報により、上記で認識した配列構成（縦ｎ×横ｍ）上での自身の表示装置が表示すべき部分画像の絶対位置を認識する。
【００１３】
次に、部分画像情報生成部は、例えば、マルチディスプレイシステムにて実現可能とする各配列構成および各絶対位置に関連付けられ、原画像情報から部分画像情報を生成するための各処理条件パラメータ（例えば、原画像情報から部分画像情報を生成するために原画像情報から所定領域の画像情報を切り出す切出範囲に関する情報や、切り出された画像情報の拡大率に関する情報）を記憶するメモリから、構成位置認識部にて認識された配列構成および絶対位置に関連付けられた処理条件パラメータを読み出す。そして、部分画像
情報生成部は、読み出した処理条件パラメータを用いて、自身が表示すべき部分画像の位置に応じた切出範囲の画像情報を原画像情報から切り出す処理、および切り出した画像情報を拡大する処理（画像情報のサイズを変換する処理）等を実施して、部分画像情報を生成する。
【００１４】
以上のような構成により、マルチディスプレイシステムの設営時において、設置作業者は、従来のようにＰＣおよび各表示装置をカスケード接続したり、ＰＣの表示部に表示された設定画面上から処理条件を設定したりする必要がない。すなわち、設置作業者は、ＰＣを用いることなく、各表示装置の各設定入力部にそれぞれ相対位置情報を設定入力し、各表示装置を直列に接続することで、各表示装置が自律的に部分画像情報の生成に必要な配列構成および絶対位置を認識するので、複雑な動作設定を実施する必要がなく、マルチディスプレイシステムを容易に構築できる。
また、表示装置が自律的に部分画像情報の生成に必要な配列構成および絶対位置を認識するので、設置作業者は、配列構成を変更する場合、例えば、「ｎ×ｍ」の配列構成を「ｍ×ｎ」の配列構成に変更する場合や、用いる表示装置の数を減少または増加して配列構成を変更する場合等において、従来のようにＰＣを用いることなく、各表示装置の各設定入力部への相対位置情報の設定状態を変更したり、各表示装置を直列に接続する接続状態を変更するだけで容易に対応できる。
【００１５】
本発明の表示装置では、前記各部分画像は、少なくとも一部が重なり合う重なり領域を有して前記原画像を構成するものであり、前記部分画像情報生成部は、前記部分画像の重なり領域を含んだ範囲の画像情報を前記原画像情報から切り出して前記部分画像情報を生成することが好ましい。
ここで、表示装置としては、部分画像を拡大投射するプロジェクタを採用できる。
ところで、各部分画像が重なり合うことなく各部分画像によって原画像を構成する場合には、各プロジェクタが適切に設置されていないと、各部分画像間に隙間が生じ、原画像を良好に表示できない。
本発明では、各部分画像は、少なくとも一部が重なり合う重なり領域を有して原画像を構成する。そして、部分画像情報生成部は、部分画像の重なり領域を含んだ範囲の画像情報を原画像情報から切り出して部分画像情報を生成する。このことにより、各プロジェクタから拡大投射される各部分画像の少なくとも一部が重なり合って原画像が表示されるので、各部分画像間に隙間が生じることがなく、原画像を良好に表示できる。
【００１６】
本発明の表示装置では、前記部分画像の重なり領域の明るさを調整する明るさ調整部を備えていることが好ましい。
ここで、明るさ調整部としては、部分画像の重なり領域の明るさを光学的に調整（光量調整）する遮光板や、部分画像情報における重なり領域に対応する画像情報に対して、明るさ（輝度や色）を調整する画像補正処理を実施する画像補正部等を採用できる。
【００１７】
ところで、各部分画像の一部が重なり合う重なり領域を有して原画像を構成する場合には、原画像において、重なり領域における輝度値が他の領域に比べて増大してしまい、原画像を良好に表示することが難しい。
本発明によれば、明るさ調整部により部分画像の重なり領域の明るさを調整できるので、原画像において、重なり領域における輝度値を他の領域と同等の輝度値とすることができ、原画像を自然な画像にして良好に表示できる。
【００１８】
本発明の表示装置では、前記制御装置は、前記構成位置認識部にて認識された配列構成および絶対位置に基づいて、一画面の少なくとも一部を構成する参照部分画像を前記表示部に表示させる参照画像表示制御を実施する参照画像表示制御部を備えていることが好ましい。
本発明では、制御装置を構成する参照画像表示制御部は、構成位置認識部にて認識された配列構成および絶対位置に基づいて、例えば、一画面となる参照原画像情報をメモリから読み出し、部分画像情報生成部の処理と同様に、自身が表示すべき部分画像の位置に応じた切出範囲の画像情報を参照原画像情報から切り出して参照部分画像情報を生成する。または、参照画像表示制御部は、マルチディスプレイシステムにて実現可能とする各配列構成および各絶対位置に関連付けられ、一画面の少なくとも一部を構成する各参照部分画像情報を記憶するメモリから構成位置認識部にて認識された配列構成および絶対位置に関連付けられた参照部分画像情報を読み出す。そして、参照画像表示制御部は、生成した参照部分画像情報、または、読み出した参照部分画像情報に基づく参照部分画像を表示部に表示させる参照画像表示制御を実施する。このことにより、表示装置は、従来のようにＰＣを接続することなく、自身が表示すべき部分画像の位置に応じた参照部分画像を表示できる。このため、マルチディスプレイシステムの設営時において、設置作業者は、各表示装置に表示された各参照部分画像を確認しながら、各表示装置を適切な位置に調整することができる。すなわち、マルチディスプレイシステムの構築をより容易に実施できる。
【００１９】
本発明の表示装置では、前記参照画像表示制御部は、当該表示装置の電源投入時において、前記参照画像表示制御を実施することが好ましい。
本発明によれば、マルチディスプレイシステムの設営時において、設置作業者は、各表示装置の電源を投入するだけで、各表示装置に自身が表示すべき部分画像の位置に応じた各参照部分画像が表示されるので、各表示装置に表示された各参照部分画像を確認しながら、各表示装置を適切な位置に迅速に調整することができる。すなわち、マルチディスプレイシステムの構築をより容易にかつ迅速に実施できる。
【００２０】
本発明の表示装置では、前記参照部分画像は、当該表示装置の設置位置を調整するための案内情報を含んで構成されていることが好ましい。
ここで、案内情報としては、例えば、自身が表示すべき部分画像の位置に応じた数字や文字に関する情報、各部分画像の少なくとも一部が重なり合う重なり領域を有して原画像を構成する場合には重なり領域を示す情報（例えば、格子状の線や色）等が採用できる。
本発明によれば、参照部分画像が案内情報を含んで構成されているので、マルチディスプレイシステムの設営時において、設置作業者は、各表示装置に表示された各参照部分画像に含まれる案内情報を認識することで、各表示装置を適切な位置に容易にかつ高精度に調整することができる。
【００２１】
本発明のマルチディスプレイシステムは、入力した原画像情報から部分画像情報を生成し、前記部分画像情報に基づく部分画像を表示する複数の表示装置を有し、前記複数の表示装置が表示する各部分画像によって前記原画像情報に基づく原画像を表示するマルチディスプレイシステムであって、前記複数の表示装置は、上述した表示装置で構成されていることを特徴とする。
本発明によれば、マルチディスプレイシステムは、上述した表示装置を備えているので、上述した表示装置と同様の作用および効果を享受できる。
【００２２】
本発明の画像情報生成方法は、入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置の画像情報生成方法であって、前記表示装置は、他の表示装置に接続し、接続された前記他の表示装置との間でそれぞれ情報を送受信するための第１の送受信部および第２の送受信部と、前記接続された他の表示装置と自身の表示装置との相対位置に関する相対位置情報を設定入力可能とする設定入力部と、前記原画像情報から前記部分画像情報を生成し、前記部分画像情報に基づく部分画像を表示部に表示させる制御装置とを備え、当該画像情報生成方法は、前記制御装置
が、前記第１の送受信部の接続状態、および前記第２の送受信部の接続状態を検出する接続状態検出ステップと、前記接続状態検出ステップにて検出した接続状態に応じて、前記第１の送受信部および前記第２の送受信部のうちいずれかの送受信部を介して、自身の表示装置に割り当てられた識別情報を送信させる識別情報送信制御ステップと、前記接続状態検出ステップにて検出した接続状態、および受信した前記識別情報のうち少なくともいずれかに基づいて、前記複数の表示装置における自身の表示装置の接続順序を認識する接続順序認識ステップと、前記第１の送受信部および前記第２の送受信部のうち少なくともいずれかの送受信部を介して、前記設定入力部に設定入力された相対位置情報、および前記接続順序認識ステップにて認識した接続順序に関する接続順序情報を関連付けた位置順序関連情報を送信させる関連情報送信制御ステップと、自身の表示装置における位置順序関連情報、および受信した他の全ての表示装置における各位置順序関連情報に基づいて、前記複数の表示装置が表示すべき部分画像の各位置の配列構成および自身の表示装置が表示すべき部分画像の絶対位置を認識する構成位置認識ステップと、前記構成位置認識ステップにて認識した配列構成、および絶対位置に基づいて、前記原画像情報の少なくとも一部の画像情報を切り出して前記部分画像情報を生成する部分画像情報生成ステップとを実行することを特徴とする。
本発明の画像情報生成方法は、上述した表示装置によって実施されるものであるので、上述した表示装置と同様の作用および効果を享受できる。
【００２３】
本発明の画像情報生成プログラムは、入力した原画像情報から部分画像情報を生成し前記部分画像情報に基づく部分画像を表示可能に構成され、直列に接続された複数の表示装置を有し、前記複数の表示装置が表示する各部分画像によって前記原画像情報に基づく原画像を表示するマルチディスプレイシステムに用いられる表示装置の画像情報生成プログラムであって、前記表示装置は、他の表示装置に接続し、接続された前記他の表示装置との間でそれぞれ情報を送受信するための第１の送受信部および第２の送受信部と、前記接続された他の表示装置と自身の表示装置との相対位置に関する相対位置情報を設定入力可能とする設定入力部と、前記原画像情報から前記部分画像情報を生成し、前記部分画像情報に基づく部分画像を表示部に表示させる制御装置とを備え、前記第１の送受信部の接続状態、および前記第２の送受信部の接続状態を検出する接続状態検出ステップと、前記接続状態検出ステップにて検出した接続状態に応じて、前記第１の送受信部および前記第２の送受信部のうちいずれかの送受信部を介して、自身の表示装置に割り当てられた識別情報を送信させる識別情報送信制御ステップと、前記接続状態検出ステップにて検出した接続状態、および受信した前記識別情報のうち少なくともいずれかに基づいて、前記複数の表示装置における自身の表示装置の接続順序を認識する接続順序認識ステップと、前記第１の送受信部および前記第２の送受信部のうち少なくともいずれかの送受信部を介して、前記設定入力部に設定入力された相対位置情報、および前記接続順序認識ステップにて認識した接続順序に関する接続順序情報を関連付けた位置順序関連情報を送信させる関連情報送信制御ステップと、自身の表示装置における位置順序関連情報、および受信した他の全ての表示装置における各位置順序関連情報に基づいて、前記複数の表示装置が表示すべき部分画像の各位置の配列構成および自身の表示装置が表示すべき部分画像の絶対位置を認識する構成位置認識ステップと、前記構成位置認識ステップにて認識した配列構成、および絶対位置に基づいて、前記原画像情報の少なくとも一部の画像情報を切り出して前記部分画像情報を生成する部分画像情報生成ステップとを前記制御装置に実行させることを特徴とする。
【００２４】
本発明の記録媒体は、上述した画像情報生成プログラムがコンピュータに読取可能に記録されていることを特徴とする。
【００２５】
以上のような構成の画像情報生成プログラムおよび記録媒体は、上述した画像情報生成方法を実施するために利用されるので、上述した画像情報生成方法と同様の作用および効
果を享受できる。
また、上述した画像情報生成プログラムを記録媒体に記録させるので、プログラムの取り扱いが容易となる。
【発明を実施するための最良の形態】
【００２６】
[第１実施形態]
以下、本発明の第１実施形態を図面に基づいて説明する。
〔マルチディスプレイシステムの全体構成〕
図１は、マルチディスプレイシステム１の構成を示す図である。
マルチディスプレイシステム１は、複数の表示装置にて表示される部分画像によって、高輝度、高解像度、および大画面の画像（原画像）を表示するシステムである。このマルチディスプレイシステム１は、図１に示すように、画像出力装置２と、画像信号分配器３と、表示装置としての複数のプロジェクタ４（本実施形態では、縦方向２台×横方向２台（「２×２」）の４台のプロジェクタ４Ａ，４Ｂ，４Ｃ，４Ｄとで構成される。
【００２７】
画像出力装置２は、マルチディスプレイシステム１を利用して、画像（原画像）を表示させるための原画像情報としての画像信号を出力する装置である。この画像出力装置２としては、種々の機器を用いることができ、例えば、パーソナルコンピュータ、テレビジョンチューナ、ＤＶＤ(Digital Versatile Disc)プレーヤ等が例示できる。
画像信号分配器３は、画像出力装置２と信号線Ｓ１を介して接続し、画像出力装置２から出力され信号線Ｓ１を介して入力した画像信号を各プロジェクタ４に並列に出力する装置である。この画像信号分配器３としては、例えば、パーソナルコンピュータ等の画像出力装置２から出力された画像信号を、信号レベルを保持するためのビデオバッファアンプを介して各プロジェクタ４に並列に出力する汎用の画像信号分配器を用いることができる。
【００２８】
図２は、プロジェクタ４の構成を示すブロック図である。
各プロジェクタ４は、図１に示すように、画像信号分配器３と信号線Ｓ２，Ｓ３，Ｓ４，Ｓ５を介してそれぞれ接続する。そして、プロジェクタ４は、画像信号分配器３から出力され各信号線Ｓ２〜Ｓ５を介して入力した画像信号に対して所定の画像処理を施し、画像処理を施した画像信号に基づいて、光源から射出された光束を光学的に処理して画像光を形成し、スクリーンＳｃに拡大投射する。また、具体的には後述するが、図１に示すように、各プロジェクタ４は、画像信号を除く他の情報を相互に送受信可能に信号線Ｓ６，Ｓ７，Ｓ８により直列接続（カスケード接続）される。また、各プロジェクタ４は、自身の「上」、「下」、「左」、「右」に設置されたプロジェクタ４のうちの１台または２台と接続されるものとする。
ここで、スクリーンＳｃは、具体的な図示は省略するが、本実施形態では、入射した画像光を透過して投影する透過型スクリーンを採用している。なお、スクリーンＳｃとしては、入射した画像光を反射して投影する反射型スクリーンで構成しても構わない。
【００２９】
すなわち、図１では、４つのプロジェクタ４Ａ〜４Ｄのうち、プロジェクタ４Ａは、スクリーンＳｃを背面側（視聴者側と反対側）から見て左下部分に画像光（部分画像）を拡大投射している。プロジェクタ４Ｂは、スクリーンＳｃを背面側から見て左上部分に画像光（部分画像）を拡大投射している。プロジェクタ４Ｃは、スクリーンＳｃを背面側から見て右上部分に画像光（部分画像）を拡大投射している。プロジェクタ４Ｄは、スクリーンＳｃを背面側から見て右下部分に画像光（部分画像）を拡大投射している。
なお、本実施形態では、図１に示すように、各プロジェクタ４Ａ〜４Ｄから拡大投射した画像光（部分画像）の一部を重ね合わせることで原画像を構成するものとしている。
また、本実施形態では、４つのプロジェクタ４Ａ〜４Ｄの構成は同一の構成とし、以下では、１つのみのプロジェクタ４を説明する。このプロジェクタ４は、図１または図２に
示すように、表示部としての画像投射部４１（図２）と、設定入力部４２と、制御装置４３（図２）とで大略構成されている。
【００３０】
画像投射部４１は、制御装置４３による制御の下、画像光を形成してスクリーンＳｃに拡大投射する。この画像投射部４１は、図２に示すように、光源装置４１１と、光変調素子としての液晶ライトバルブ４１２と、投射光学系４１３等を備える。
光源装置４１１は、制御装置４３による制御の下、光束を液晶ライトバルブ４１２に向けて射出する。この光源装置４１１は、光源ランプ４１１１と、光源駆動部４１１２とを備える。
【００３１】
光源ランプ４１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種自己発光素子を採用してもよい。
光源駆動部４１１２は、制御装置４３による制御の下、所定の駆動電圧で光源ランプ４１１１を駆動する。
【００３２】
液晶ライトバルブ４１２は、透過型の液晶パネルであり、制御装置４３からの駆動信号に基づいて、液晶セル（図示略）に封入された液晶分子の配列を変化させ、光源ランプ４１１１から射出された光束を、透過若しくは遮断することにより駆動信号に応じた画像光を投射光学系４１３に射出する。
投射光学系４１３は、液晶ライトバルブ４１２から射出された画像光をスクリーンＳｃに向けて拡大投射する。
【００３３】
なお、図示は省略したが、プロジェクタ４は、ＲＧＢの３色に対応する３枚の液晶ライトバルブ４１２を備えている。また、光源装置４１１は、光源光を３色の光に分離する色分離光学系を備えている。さらに、投射光学系４１３は、３色の画像光を合成してカラー画像を表す画像光を生成する色合成光学系を有している。なお、このような光学系の構成については、種々の一般的なプロジェクタの光学系の構成が利用可能である。
【００３４】
設定入力部４２は、信号線Ｓ６〜Ｓ８によりカスケード接続された際での接続された他のプロジェクタ４と自身のプロジェクタ４との相対位置に関する相対位置情報を設定入力可能とする部分である。より具体的に、設定入力部４２は、図１に示すように、相対位置情報を機械的に設定可能とするスライドスイッチ（機械式スイッチ）で構成されている。そして、設定入力部４２をスライドさせて、外装筺体４４に形成された「・」、「上」、「下」、「左」、「右」の各位置にスイッチトップ４２Ａを位置付けることで、自身のプロジェクタ４に対してカスケード接続された後段側のプロジェクタ４の位置に関する相対位置情報が設定される。以下、カスケード接続された際での自身の後段側および前段側に接続された１台目の各プロジェクタを、自身に隣接接続されたプロジェクタと記載する。
【００３５】
すなわち、本実施形態では、図１に示すように、カスケード接続される４台のプロジェクタ４Ａ〜４Ｄのうち、最前段に位置するプロジェクタ４ＡがスクリーンＳｃを背面側から見て左下部分に部分画像を拡大投射する必要があり、プロジェクタ４Ａの後段側に接続されるプロジェクタ４ＢがスクリーンＳｃを背面側から見て左上部分に部分画像を拡大投射する必要がある。すなわち、プロジェクタ４Ａの設置位置から見て、プロジェクタ４Ｂの設置位置を上に位置付ける必要がある。このため、プロジェクタ４Ａにおいては、図１に示すように、設定入力部４２をスライドさせて、外装筺体４４に形成された「上」の位置にスイッチトップ４２Ａを位置付ける。
【００３６】
また、プロジェクタ４ＢがスクリーンＳｃを背面側から見て左上部分に部分画像を拡大投射する必要があり、プロジェクタ４Ｂの後段側に接続されるプロジェクタ４ＣがスクリーンＳｃを背面側から見て右上部分に部分画像を拡大投射する必要がある。すなわち、プロジェクタ４Ｂの設置位置から見て、プロジェクタ４Ｃの設置位置を右に位置付ける必要がある。このため、プロジェクタ４Ｂにおいては、図１に示すように、設定入力部４２をスライドさせて、外装筺体４４に形成された「右」の位置にスイッチトップ４２Ａを位置付ける。
【００３７】
さらに、プロジェクタ４ＣがスクリーンＳｃを背面側から見て右上部分に部分画像を拡大投射する必要があり、プロジェクタ４Ｄの後段側に接続されるプロジェクタ４ＤがスクリーンＳｃを背面側から見て右下部分に部分画像を拡大投射する必要がある。すなわち、プロジェクタ４Ｃの設置位置から見て、プロジェクタ４Ｄの設置位置を下に位置付ける必要がある。このため、プロジェクタ４Ｃにおいては、図１に示すように、設定入力部４２をスライドさせて、外装筺体４４に形成された「下」の位置にスイッチトップ４２Ａを位置付ける。
【００３８】
さらにまた、プロジェクタ４Ｄにおいては、プロジェクタ４Ｄの後段側にプロジェクタを接続しない構成とするため、すなわち、カスケード接続される終端となるプロジェクタ４であるため、図１に示すように、設定入力部４２をスライドさせて、外装筺体４４に形成された「・」の位置にスイッチトップ４２Ａを位置付ける。
【００３９】
制御装置４３は、ＣＰＵ(Central Processing Unit)等を含んで構成され、メモリ４３７に記憶された制御プログラム（画像情報生成プログラムを含む）にしたがって、プロジェクタ４全体を制御する部分である。なお、制御装置４３の構成としては、カスケード接続された他のプロジェクタとの情報の送受信機能、および受信した情報の処理機能、ならびに、入力した画像信号の処理機能を主に説明し、その他の機能については説明を省略する。この制御装置４３は、図２に示すように、信号処理部４３１と、スイッチ認識部４３２と、送受信部４３３と、接続状態検出部４３４と、送信制御部４３５と、演算処理部４３６と、メモリ４３７と、表示制御部４３８等を備える。これら各構成要素４３１〜４３８は、図示しないバスにより接続され、必要な情報が伝送可能に構成されている。
【００４０】
信号処理部４３１は、画像入力端子４３１Ａ（図１）を介して画像信号分配器３等から入力した画像信号を、表示制御部４３８にて読み取り可能な信号（デジタル信号）に変換して出力する。
スイッチ認識部４３２は、設定入力部４２と電気的に接続し、設定入力部４２の状態を検出して設定入力部４２に設定された相対位置情報を認識する。そして、スイッチ認識部４３２は、認識した相対位置情報に応じた信号を適宜、送信制御部４３５および演算処理部４３６等に出力する。
【００４１】
送受信部４３３は、信号線Ｓ６〜Ｓ８（図１）を介して各プロジェクタ４を直列接続（カスケード接続）し、隣接接続される他のプロジェクタ４との間でそれぞれ情報を送受信可能とする部分である。この送受信部４３３は、信号線Ｓ６〜Ｓ８に対応した規格（例えば、信号線Ｓ６〜Ｓ８がＵＳＢ(Universal Serial Bus)ケーブルであれば、ＵＳＢ規格）で情報の送受信を実施する信号変換回路である。この送受信部４３３は、図２に示すように、第１の送受信部４３３１と、第２の送受信部４３３２とを備える。
第１の送受信部４３３１は、第１の信号入出力端子４３１Ｂ（図１）を介して他のプロジェクタ４と情報を送受信可能にカスケード接続する部分である。そして、第１の送受信部４３３１は、他のプロジェクタ４から第１の信号入出力端子４３１Ｂに接続された信号線を介して受信した情報に対して所定の入力インターフェース処理を実施して出力する。また、第１の送受信部４３３１は、送信制御部４３５による制御の下、送信制御部４３５
から出力される情報に対して所定の出力インターフェース処理を実施して、第１の信号入出力端子４３１Ｂに接続された信号線を介して他のプロジェクタ４に送信する。
第２の送受信部４３３２は、第２の信号入出力端子４３１Ｃ（図１）を介して他のプロジェクタ４と情報を送受信可能にカスケード接続する部分である。そして、第２の送受信部４３３２は、他のプロジェクタ４から第２の信号入出力端子４３１Ｃに接続された信号線を介して受信した情報に対して所定の入力インターフェース処理を実施して出力する。また、第２の送受信部４３３２は、送信制御部４３５による制御の下、送信制御部４３５から出力される情報に対して所定の出力インターフェース処理を実施して、第２の信号入出力端子４３１Ｃに接続された信号線を介して他のプロジェクタ４に送信する。
【００４２】
接続状態検出部４３４は、第１の送受信部４３３１の接続状態（第１の信号入出力端子４３１Ｂを介して信号線により他のプロジェクタ４と第１の送受信部４３３１とが情報の送受信可能に接続している状態）、および第２の送受信部４３３２の接続状態（第２の信号入出力端子４３１Ｃを介して信号線により他のプロジェクタ４と第２の送受信部４３３２とが情報の送受信可能に接続している状態）を検出する部分である。
【００４３】
例えば、接続状態検出部４３４による接続状態の検出処理としては、例えば、以下の処理が例示できる。
すなわち、接続状態検出部４３４は、第１の送受信部４３３１および第２の送受信部４３３２に適宜、所定の信号（接続信号）を送信させる構成とする。また、接続状態検出部４３４は、第１の送受信部４３３１および第２の送受信部４３３２に適宜、前記接続信号の受信に応じて所定の信号（応答信号）を送信させる構成とする。そして、接続状態検出部４３４は、第１の送受信部４３３１を介して前記応答信号を取得することで、第１の信号入出力端子４３１Ｂを介して信号線により他のプロジェクタ４と第１の送受信部４３３１とが接続状態である（第１の送受信部４３３１が接続状態である）旨を検出する。すなわち、接続状態検出部４３４は、第１の送受信部４３３１を介して前記応答信号を取得していない状態の場合に、第１の信号入出力端子４３１Ｂを介して信号線により他のプロジェクタ４と第１の送受信部４３３１とが接続状態でない（第１の送受信部４３３１が非接続状態である）旨を検出する。また、接続状態検出部４３４は、第２の送受信部４３３１を介して前記応答信号を取得することで、第２の信号入出力端子４３１Ｃを介して信号線により他のプロジェクタ４と第２の送受信部４３３２とが接続状態である（第２の送受信部４３３２が接続状態である）旨を検出する。すなわち、接続状態検出部４３４は、第２の送受信部４３３１を介して前記応答信号を取得していない状態の場合に、第２の信号入出力端子４３１Ｃを介して信号線により他のプロジェクタ４と第２の送受信部４３３２とが接続状態でない（第２の送受信部４３３２が非接続状態である）旨を検出する。
なお、接続状態検出部４３４による接続状態の検出処理としては、上述した処理に限らず、その他の処理により接続状態を検出する構成としても構わない。
【００４４】
送信制御部４３５は、送受信部４３３を駆動制御して、所定の情報を他のプロジェクタ４に送信させる。この送信制御部４３５は、図２に示すように、識別情報送信制御部４３５１と、関連情報送信制御部４３５２とを備える。
識別情報送信制御部４３５１は、接続状態検出部４３４にて検出された接続状態に応じて、以下の処理を実行する。
例えば、識別情報送信制御部４３５１は、接続状態検出部４３４にて第１の送受信部４３３１および第２の送受信部４３３２のうちいずれか一方の送受信部のみが接続状態である（いずれか他方の送受信部が非接続状態である）と検出された場合に、自身のプロジェクタ４に割り当てられる識別情報として末端（最前段または最後段）に接続されたプロジェクタ４である旨の識別情報（前段識別情報（In1）、後段識別情報(Out1)）を前記一方の送受信部に送信させる。
また、例えば、識別情報送信制御部４３５１は、接続状態検出部４３４にて第１の送受
信部４３３１および第２の送受信部４３３２の双方が接続状態であると検出された場合に、他のプロジェクタ４から受信した識別情報をインクリメントし（受信した識別情報が前段識別情報「In(m)」である場合に「In(m+1)」とし、受信した識別情報が後段識別情報「Out(m)」である場合に「Out(m+1)」とし）、インクリメントした識別情報を第１の送受信部４３３１および第２の送受信部４３３２のうち少なくともいずれかの送受信部に送信させる。
【００４５】
関連情報送信制御部４３５２は、スイッチ認識部４３２にて認識された相対位置情報と、演算処理部４３６にて認識された自身のプロジェクタ４の接続順序（何台中の最前段から何番目）に関する接続順序情報とを関連付けた位置順序関連情報を、第１の送受信部４３３１および第２の送受信部４３３２のうち少なくともいずれかの送受信部に送信させる。
また、関連情報送信制御部４３５２は、第１の送受信部４３３１および第２の送受信部４３３２のうちいずれか一方の送受信部にて位置順序関連情報を受信した場合には、該位置順序関連情報を第１の送受信部４３３１および第２の送受信部４３３２のうちいずれか他方の送受信部に送信させる。すなわち、関連情報送信制御部４３５２が上述した処理を実施することで、各プロジェクタ４は、他の全てのプロジェクタ４（本実施形態では３台のプロジェクタ４）から各位置順序関連情報を受信することとなる。
演算処理部４３６は、接続状態検出部４３４にて検出された接続状態、および送受信部４３３にて受信した識別情報（前段識別情報、後段識別情報）に基づいて、カスケード接続された各プロジェクタ４における自身のプロジェクタ４の接続順序（何台中の最前段から何番目に接続されたかを示す接続順序）を認識する。
【００４６】
また、演算処理部４３６は、自身のプロジェクタ４における位置順序関連情報、および他の全てのプロジェクタ４から受信した各位置順序関連情報に基づいて、各プロジェクタ４が表示すべき部分画像の各位置の配列構成、および自身のプロジェクタ４が表示すべき部分画像の絶対位置を認識する。なお、配列構成としては、原画像を構成する各部分画像のレイアウト（縦ｎ×横ｍ（「ｎ×ｍ」））を意味する。また、絶対位置としては、前記レイアウト上での自身のプロジェクタ４が表示すべき部分画像の位置を意味する。
すなわち、演算処理部４３６は、本発明に係る接続順序認識部および構成位置認識部に相当する。
【００４７】
メモリ４３７は、制御装置４３にて各種処理を実行するための制御プログラム、各種処理に必要な情報、処理された情報等を記憶する。このメモリ４３７は、図２に示すように、処理条件記憶部４３７１と、参照画像情報記憶部４３７２等を備える。
処理条件記憶部４３７１は、表示制御部４３８にて実施される部分画像データ生成処理に必要な処理条件に関する各処理条件パラメータを記憶する。ここで、処理条件パラメータは、信号処理部４３１を介して入力した画像信号（原画像情報としての原画像データ）から部分画像データ（部分画像情報）を生成するための処理条件に関する情報である。そして、処理条件記憶部４３７１は、マルチディスプレイシステムにて実現可能とする各配列構成および各絶対位置と各処理条件パラメータとを関連付けて（例えば、「１×１」の配列構成において「１番」に設定された領域と所定の処理条件パラメータとを関連付け、「１×２」の配列構成において「１番」に設定された領域と所定の処理条件パラメータとを関連付け、「１×２」の配列構成において「２番」に設定された領域と所定の処理条件パラメータとを関連付け、・・・）記憶する。例えば、処理条件記憶部４３７１は、複数の情報を区画するデータテーブルを有し、配列構成および絶対位置毎に各処理条件パラメータをデータテーブルの各区画に対応させて記憶する構成が例示できる。
【００４８】
参照画像情報記憶部４３７２は、マルチディスプレイシステム１の設営時、すなわち、各プロジェクタ４Ａ〜４Ｄを所定の設置位置にそれぞれ調整する際に用いられる各参照部
分画像に関する各参照部分画像データ（参照部分画像情報）を記憶する部分である。これら各参照部分画像データは、所定の原画像データを、用いるプロジェクタの配列構成に対応させて切り出した部分画像データである。また、各参照部分画像データは、具体的には後述するが、各プロジェクタ４Ａ〜４Ｄの設置位置を調整するための各案内データを含んで構成されている。そして、参照画像情報記憶部４３７２は、各配列構成および各絶対位置と各参照部分画像データとを関連付けて（例えば、「１×１」の配列構成において「１番」に設定された領域と所定の参照部分画像データとを関連付け、「１×２」の配列構成において「１番」に設定された領域と所定の参照部分画像データとを関連付け、「１×２」の配列構成において「２番」に設定された領域と所定の参照部分画像データとを関連付け、・・・）記憶する。例えば、参照画像情報記憶部４３７２は、複数の情報を区画するデータテーブルを有し、配列構成および絶対位置毎に各参照画像データをデータテーブルの各区画に対応させて記憶する構成が例示できる。
【００４９】
表示制御部４３８は、液晶ライトバルブ４１２の駆動制御を実施する部分である。より具体的に、表示制御部４３８は、信号処理部４３１を介して入力した画像信号（原画像データ）に対して所定の処理を施して部分画像データを生成し、部分画像データに応じた駆動信号を液晶ライトバルブ４１２に出力することで部分画像データに基づく部分画像（画像光）を液晶ライトバルブ４１２に形成させる。この表示制御部４３８は、図２に示すように、画像データ処理部４３８１と、参照画像表示制御部４３８２と、パネル駆動部４３８３と、同期制御部４３８４等を備える。
【００５０】
画像データ処理部４３８１は、信号処理部４３１を介して入力したデジタルの原画像データから部分画像データを生成する部分画像データ生成処理、ガンマ補正等適宜必要な画像データ補正処理等の各種の画像データ処理を実施する。この画像データ処理部４３８１は、図２に示すように、部分画像情報生成部４３８１Ａと、画像補正部４３８１Ｂ等を備える。なお、具体的な図示は省略したが、画像データ処理部４３８１は、上述した画像データ処理を実施する際の記憶領域として図示しない画像データ記憶部を有している。この画像データ記憶部は、信号処理部４３１を介して入力した原画像データをバッファリングする部分であり、例えば、１画面分の原画像データを全て記憶するフレームバッファや、水平方向の１ライン分の走査データを記憶するラインバッファ等を採用できる。
【００５１】
部分画像情報生成部４３８１Ａは、演算処理部４３６にて認識された配列構成および絶対位置に関連付けられた処理条件パラメータを処理条件記憶部４３７１から読み出し、読み出した処理条件パラメータを用いて、原画像データから所定領域の画像データを切り出す画像データ切出処理と、切り出された所定領域の画像データの画像サイズを変換する画像サイズ変換処理とを実施して、部分画像データを生成する（部分画像データ生成処理）。
画像補正部４３８１Ｂは、部分画像情報生成部４３８１Ａにて生成された部分画像データに対して、メモリ４３７に記憶された画像補正パラメータを用いて、ガンマ補正等適宜必要な画像データ補正処理を実施する。
【００５２】
参照画像表示制御部４３８２は、プロジェクタ４の電源投入時（起動時）において、演算処理部４３６にて認識された配列構成および絶対位置に関連付けられた参照部分画像データを参照画像情報記憶部４３７２から読み出し、読み出した参照部分画像データに基づく参照部分画像を液晶ライトバルブ４１２に形成させる参照画像表示制御を実施する。
【００５３】
パネル駆動部４３８３は、画像データ処理部４３８１にて生成された部分画像データから液晶ライトバルブ４１２を駆動するための駆動信号を生成し、液晶ライトバルブ４１２に駆動信号を出力することで、液晶ライトバルブ４１２に部分画像（画像光）を形成させる。また、パネル駆動部４３８３は、参照画像表示制御部４３８２にて読み出された参照
部分画像データから液晶ライトバルブ４１２を駆動するための駆動信号を生成し、液晶ライトバルブ４１２に駆動信号を出力することで、液晶ライトバルブ４１２に参照部分画像（画像光）を形成させる。
【００５４】
同期制御部４３８４は、信号処理部４３１を介して入力した原画像データが有する同期信号を基準に上述した各種画像データ処理および表示制御を実施させる同期制御を実施する。すなわち、この同期制御部４３８４により、同期制御を実施することで、各プロジェクタ４（４Ａ〜４Ｄ）での表示タイミングがばらつくことを防止している。
【００５５】
〔マルチディスプレイシステムの動作〕
次に、上述したマルチディスプレイシステム１の動作について図面を参照して説明する。
なお、以下では、マルチディスプレイシステム１の動作のうち、プロジェクタ４の動作を主に説明し、画像出力装置２および画像信号分配器３の動作については説明を省略する。また、以下では、先ず、マルチディスプレイシステム１の設営時におけるプロジェクタ４の動作を説明し、次に、マルチディスプレイシステム１を利用したプロジェクタ４の動作（タイリング表示動作）を説明する。
【００５６】
〔設営時でのプロジェクタの動作〕
図３は、マルチディスプレイシステム１の設営時におけるプロジェクタ４の動作を説明するフローチャートである。
なお、以下では、各プロジェクタ４Ａ〜４Ｄは、画像信号分配器３と信号線Ｓ２〜Ｓ５を介して接続していない状態とする。また、各プロジェクタ４Ａ〜４Ｄは、図１に示すように、各信号線Ｓ６〜Ｓ８にてカスケード接続した状態とする。さらに、各プロジェクタ４Ａ〜４Ｄの各設定入力部４２には、図１に示すように、各相対位置情報が設定されているものとする。
【００５７】
先ず、設置作業者による各プロジェクタ４Ａ〜４Ｄの図示しない各操作パネルの「プロジェクタの電源をＯＮする」旨の操作により、前記各操作パネルから各制御装置４３に電源ＯＮ信号が出力される。そして、制御装置４３は、電源ＯＮ信号の入力に応じて、メモリ４３７に記憶された制御プログラムを読み出し、該制御プログラムにしたがって、以下の処理を実行する。
【００５８】
先ず、制御装置４３の接続状態検出部４３４は、上述した接続状態の検出処理により、第１の送受信部４３３１の接続状態、および第２の送受信部４３３２の接続状態を検出する（ステップＳＴ１：接続状態検出ステップ）。
具体的に、プロジェクタ４Ａにおいては、図１に示すように信号線Ｓ６がプロジェクタ４Ａの第２の信号入出力端子４３１Ｃとプロジェクタ４Ｂの第１の信号入出力端子４３１Ｂとを接続している状態であるため、接続状態検出部４３４は、第１の送受信部４３３１が非接続状態であり、第２の送受信部４３３２が接続状態であると検出する（ステップＳＴ１Ａ）。
また、プロジェクタ４Ｂにおいては、図１に示すように信号線Ｓ６がプロジェクタ４Ｂの第１の信号入出力端子４３１Ｂとプロジェクタ４Ａの第２の信号入出力端子４３１Ｃとを接続している状態であり、信号線Ｓ７がプロジェクタ４Ｂの第２の信号入出力端子４３１Ｃとプロジェクタ４Ｃの第１の信号入出力端子４３１Ｂとを接続している状態であるため、接続状態検出部４３４は、第１の送受信部４３３１および第２の送受信部４３３２の双方が接続状態であると検出する（ステップＳＴ１Ｂ）。
【００５９】
また、プロジェクタ４Ｃにおいては、図１に示すように信号線Ｓ７がプロジェクタ４Ｃの第１の信号入出力端子４３１Ｂとプロジェクタ４Ｂの第２の信号入出力端子４３１Ｃと
を接続している状態であり、信号線Ｓ８がプロジェクタ４Ｃの第２の信号入出力端子４３１Ｃとプロジェクタ４Ｄの第１の信号入出力端子４３１Ｂとを接続している状態であるため、接続状態検出部４３４は、第１の送受信部４３３１および第２の送受信部４３３２の双方が接続状態であると検出する（ステップＳＴ１Ｃ）。
また、プロジェクタ４Ｄにおいては、図１に示すように信号線Ｓ８がプロジェクタ４Ｄの第１の信号入出力端子４３１Ｂとプロジェクタ４Ｃの第２の信号入出力端子４３１Ｃとを接続している状態であるため、接続状態検出部４３４は、第１の送受信部４３３１が接続状態であり、第２の送受信部４３３２が非接続状態であると検出する（ステップＳＴ１Ｄ）。
【００６０】
ステップＳＴ１の後、制御装置４３は、自身のプロジェクタ４に割り当てられた前段識別情報を送信する（ステップＳＴ２：識別情報送信制御ステップ）。
具体的に、プロジェクタ４Ａにおいては、識別情報送信制御部４３５１は、接続状態検出部４３４にて検出された接続状態（第２の送受信部４３３２のみが接続状態）に応じて、自身のプロジェクタ４に割り当てられる前段識別情報として最前段に接続されたプロジェクタ４である旨の前段識別情報（In1）を第２の送受信部４３３２に送信させる（ステップＳＴ２Ａ）。
また、プロジェクタ４Ｂにおいては、第１の送受信部４３３１にてプロジェクタ４Ａからの前段識別情報(In1）を受信する（ステップＳＴ２Ｂ１）と、識別情報送信制御部４３５１は、前段識別情報(In1)をインクリメントし（ステップＳＴ２Ｂ２）、インクリメントした前段識別情報(In2)を第２の送受信部４３３２に送信させる（ステップＳＴ２Ｂ３）。
【００６１】
また、プロジェクタ４Ｃにおいては、第１の送受信部４３３１にてプロジェクタ４Ｂからの前段識別情報(In2)を受信する（ステップＳＴ２Ｃ１）と、識別情報送信制御部４３５１は、前段識別情報(In2)をインクリメントし（ステップＳＴ２Ｃ２）、インクリメントした前段識別情報(In3)を第２の送受信部４３３２に送信させる（ステップＳＴ２Ｃ３）。
また、プロジェクタ４Ｄにおいては、第１の送受信部４３３１にてプロジェクタ４Ｃからの前段識別情報(In3)を受信する（ステップＳＴ２Ｄ１）と、識別情報送信制御部４３５１は、前段識別情報(In3)をインクリメントする（ステップＳＴ２Ｄ２）。
【００６２】
ステップＳＴ２の後、制御装置４３は、自身のプロジェクタ４に割り当てられた後段識別情報を送信する（ステップＳＴ３：識別情報送信制御ステップ）。
具体的に、プロジェクタ４Ｄにおいては、識別情報送信制御部４３５１は、接続状態検出部４３４にて検出された接続状態（第１の送受信部４３３１のみが接続状態）に応じて、自身のプロジェクタ４に割り当てられる後段識別情報として最後段に接続されたプロジェクタ４である旨の後段識別情報(Out1)を第１の送受信部４３３１に送信させる（ステップＳＴ３Ｄ）。
また、プロジェクタ４Ｃにおいては、第２の送受信部４３３２にてプロジェクタ４Ｄからの後段識別情報(Out1)を受信する（ステップＳＴ３Ｃ１）と、識別情報送信制御部４３５１は、後段識別情報(Out1)をインクリメントし（ステップＳＴ３Ｃ２）、インクリメントした後段識別情報(Out2)を第１の送受信部４３３１に送信させる（ステップＳＴ３Ｃ３）。
【００６３】
また、プロジェクタ４Ｂにおいては、第２の送受信部４３３２にてプロジェクタ４Ｃからの後段識別情報(Out2)を受信する（ステップＳＴ３Ｂ１）と、識別情報送信制御部４３５１は、後段識別情報(Out2)をインクリメントし（ステップＳＴ３Ｂ２）、インクリメントした後段識別情報(Out3)を第１の送受信部４３３１に送信させる（ステップＳＴ３Ｂ３）。
また、プロジェクタ４Ａにおいては、第２の送受信部４３３２にてプロジェクタ４Ｂからの後段識別情報(Out3)を受信する（ステップＳＴ３Ａ１）と、識別情報送信制御部４３５１は、後段識別情報(Out3)をインクリメントする（ステップＳＴ３Ａ２）。
【００６４】
ステップＳＴ３の後、制御装置４３は、自身のプロジェクタ４の接続順序（何台中の最前段から何番目に接続されたかを示す接続順序）を認識する（ステップＳＴ４：接続順序認識ステップ）。
具体的に、プロジェクタ４Ａにおいては、演算処理部４３６は、接続状態検出部４３４にて検出された接続状態（第２の送受信部４３３２のみが接続状態）に応じて送信された前段識別情報(In1)、および第２の送受信部４３３２にて受信されインクリメントされた後段識別情報(Out4)に基づいて、カスケード接続された各プロジェクタ４の台数が４台であり、自身のプロジェクタ４Ａの接続順序が「４台中の最前段から１番目である」と認識する（ステップＳＴ４Ａ）。
【００６５】
また、プロジェクタ４Ｂにおいては、演算処理部４３６は、第１の送受信部４３３１にて受信されインクリメントされた前段識別情報(In2)、および第２の送受信部４３３２にて受信されインクリメントされた後段識別情報(Out3)に基づいて、カスケード接続された各プロジェクタ４の台数が４台であり、自身のプロジェクタ４Ｂの接続順序が「４台中の最前段から２番目である」と認識する（ステップＳＴ４Ｂ）。
また、プロジェクタ４Ｃにおいては、演算処理部４３６は、第１の送受信部４３３１にて受信されインクリメントされた前段識別情報(In3)、および第２の送受信部４３３２にて受信されインクリメントされた後段識別情報(Out2)に基づいて、カスケード接続された各プロジェクタ４の台数が４台であり、自身のプロジェクタ４Ｃの接続順序が「４台中の最前段から３番目である」と認識する（ステップＳＴ４Ｃ）。
【００６６】
また、プロジェクタ４Ｄにおいては、演算処理部４３６は、第１の送受信部４３３１にて受信されインクリメントされた前段識別情報(In4)、および接続状態検出部４３４にて検出された接続状態（第１の送受信部４３３１のみが接続状態）に応じて送信された後段識別情報(Out1)に基づいて、カスケード接続された各プロジェクタ４の台数が４台であり、自身のプロジェクタ４Ｄの接続順序が「４台中の最前段から４番目である」と認識する（ステップＳＴ４Ｄ）。
【００６７】
ステップＳＴ４の後、制御装置４３は、設定入力部４２に設定された相対位置情報を認識する（ステップＳＴ５）。
具体的に、プロジェクタ４Ａにおいては、スイッチ認識部４３２は、上述した設定により設定入力部４２のスイッチトップ４２Ａが外装筺体４４に形成された「上」の位置に位置付けられている状態を検出し、自身のプロジェクタ４Ａに対するカスケード接続された後段側のプロジェクタ４（４Ｂ）の相対位置（上）に関する相対位置情報を認識する（ステップＳＴ５Ａ）。
また、プロジェクタ４Ｂにおいては、スイッチ認識部４３２は、上述した設定により設定入力部４２のスイッチトップ４２Ａが外装筺体４４に形成された「右」の位置に位置付けられている状態を検出し、自身のプロジェクタ４Ｂに対するカスケード接続された後段側のプロジェクタ４（４Ｃ）の相対位置（右）に関する相対位置情報を認識する（ステップＳＴ５Ｂ）。
【００６８】
また、プロジェクタ４Ｃにおいては、スイッチ認識部４３２は、上述した設定により設定入力部４２のスイッチトップ４２Ａが外装筺体４４に形成された「下」の位置に位置付けられている状態を検出し、自身のプロジェクタ４Ｃに対するカスケード接続された後段側のプロジェクタ４（４Ｄ）の相対位置（下）に関する相対位置情報を認識する（ステップＳＴ５Ｃ）。
また、プロジェクタ４Ｄにおいては、スイッチ認識部４３２は、上述した設定により設定入力部４２のスイッチトップ４２Ａが外装筺体４４に形成された「・」の位置に位置付けられている状態を検出し、自身のプロジェクタ４Ｄに対するカスケード接続された後段側のプロジェクタ４が存在しない、すなわち、自身のプロジェクタ４Ｄが終端の位置である旨の相対位置に関する相対位置情報を認識する（ステップＳＴ５Ｄ）。
【００６９】
ステップＳＴ５の後、制御装置４３は、自身のプロジェクタ４における位置順序関連情報を送信するとともに、他の全てのプロジェクタ４における各位置順序関連情報を受信する（ステップＳＴ６：関連情報送信制御ステップ）。
具体的に、プロジェクタ４Ａにおいては、関連情報送信制御部４３５２は、演算処理部４３６にて認識された接続順序（４台中の最前段から１番目）に関する接続順序情報と、スイッチ認識部４３２にて認識された相対位置情報（上）とを関連付けた位置順序関連情報を第２の送受信部４３３２に送信させる。また、制御装置４３は、第２の送受信部４３３２にてプロジェクタ４Ｂ，４Ｃ，４Ｄにおける各位置順序関連情報を受信する（ステップＳＴ６Ａ）。
【００７０】
また、プロジェクタ４Ｂにおいては、関連情報送信制御部４３５２は、演算処理部４３６にて認識された接続順序（４台中の最前段から２番目）に関する接続順序情報と、スイッチ認識部４３２にて認識された相対位置情報（右）とを関連付けた位置順序関連情報を第１の送受信部４３３１および第２の送受信部４３３２に送信させる。また、制御装置４３は、第１の送受信部４３３１にてプロジェクタ４Ａにおける位置順序関連情報を受信するとともに、第２の送受信部４３３２にてプロジェクタ４Ｃ，４Ｄにおける各位置順序関連情報を受信する。さらに、関連情報送信制御部４３５２は、第１の送受信部４３３１にて受信したプロジェクタ４Ａにおける位置順序関連情報を第２の送受信部４３３２に送信させる。また、関連情報送信制御部４３５２は、第２の送受信部４３３２にて受信したプロジェクタ４Ｃ，４Ｄにおける各位置順序関連情報を第１の送受信部４３３１に送信させる（ステップＳＴ６Ｂ）。
【００７１】
また、プロジェクタ４Ｃにおいては、関連情報送信制御部４３５２は、演算処理部４３６にて認識された接続順序（４台中の最前段から３番目）に関する接続順序情報と、スイッチ認識部４３２にて認識された相対位置情報（下）とを関連付けた位置順序関連情報を第１の送受信部４３３１および第２の送受信部４３３２に送信させる。また、制御装置４３は、第１の送受信部４３３１にてプロジェクタ４Ａ，４Ｂにおける各位置順序関連情報を受信するとともに、第２の送受信部４３３２にてプロジェクタ４Ｄにおける位置順序関連情報を受信する。さらに、関連情報送信制御部４３５２は、第１の送受信部４３３１にて受信したプロジェクタ４Ａ，４Ｂにおける各位置順序関連情報を第２の送受信部４３３２に送信させる。また、関連情報送信制御部４３５２は、第２の送受信部４３３２にて受信したプロジェクタ４Ｄにおける各位置順序関連情報を第１の送受信部４３３１に送信させる（ステップＳＴ６Ｃ）。
【００７２】
また、プロジェクタ４Ｄにおいては、関連情報送信制御部４３５２は、演算処理部４３６にて認識された接続順序（４台中の最前段から４番目）に関する接続順序情報と、スイッチ認識部４３２にて認識された相対位置情報（終端）とを関連付けた位置順序関連情報を第１の送受信部４３３１に送信させる。また、制御装置４３は、第１の送受信部４３３１にてプロジェクタ４Ａ，４Ｂ，４Ｃにおける各位置順序関連情報を受信する（ステップＳＴ６Ｄ）。
【００７３】
ステップＳＴ６の後、演算処理部４３６は、自身のプロジェクタ４における位置順序関連情報、および他の全てのプロジェクタ４から受信した各位置順序関連情報に基づいて、各プロジェクタ４が表示すべき部分画像の各位置の配列構成、および自身のプロジェクタ
４が表示すべき部分画像の絶対位置を認識する（ステップＳＴ７：構成位置認識ステップ）。
【００７４】
図４および図５は、演算処理部４３６による配列構成および絶対位置の認識処理を説明するための図である。具体的に、図４（Ａ）は、各プロジェクタ４の位置順序関連情報を示す図である。より具体的に、上段に記載された「１」および下段に記載された「上」は、プロジェクタ４Ａにおける位置順序関連情報（接続順序である「４台中の最前段から１番目」および相対位置情報である「上」）を示している。また、上段に記載された「２」および下段に記載された「右」は、プロジェクタ４Ｂにおける位置順序関連情報（接続順序である「４台中の最前段から２番目」および相対位置情報である「右」）を示している。また、上段に記載された「３」および下段に記載された「下」は、プロジェクタ４Ｃにおける位置順序関連情報（接続順序である「４台中の最前段から３番目」および相対位置情報である「下」）を示している。また、上段に記載された「４」および下段に記載された「終」は、プロジェクタ４Ｄにおける位置順序関連情報（接続順序である「４台中の最前段から４番目」および相対位置情報である「終端」）を示している。また、図４（Ｂ）は、図示しない内部メモリ上の２次元領域を示している。
なお、図５は、各プロジェクタ４が９台で構成されている場合の一例を示し、図４の構成と同様の構成である。
【００７５】
すなわち、演算処理部４３６は、図４（Ｂ）に示すように、図示しない内部メモリ上に２次元領域を考え、その中央部分の領域Ａ１を「１番」に設定する。次に、演算処理部４３６は、４つの位置順序関連情報（図４（Ａ））のうち、接続順序情報に基づく接続順序が「４台中の最前段から１番目」である位置順序関連情報を検出し、該位置順序関連情報に基づく相対位置情報（上）を認識する。そして、演算処理部４３６は、図４（Ｂ）に示すように、認識した相対位置情報である「上」に応じて、領域Ａ１の上に位置する領域Ａ２を「２番」に設定する。次に、演算処理部４３６は、４つの位置順序関連情報のうち、接続順序情報に基づく接続順序が「４台中の最前段から２番目」である位置順序関連情報を検出し、該位置順序関連情報に基づく相対位置情報（右）を認識する。そして、演算処理部４３６は、図４（Ｂ）に示すように、認識した相対位置情報である「右」に応じて、領域Ａ２の右に位置する領域Ａ３を「３番」に設定する。次に、演算処理部４３６は、４つの位置順序関連情報のうち、接続順序情報に基づく接続順序が「４台中の最前段から３番目」である位置順序関連情報を検出し、該位置順序関連情報に基づく相対位置情報（下）を認識する。そして、演算処理部４３６は、図４（Ｂ）に示すように、認識した相対位置情報である「下」に応じて、領域Ａ３の下に位置する領域Ａ４を「４番」に設定する。次に、演算処理部４３６は、４つの位置順序関連情報のうち、接続順序情報に基づく接続順序が「４台中の最前段から４番目」である位置順序関連情報を検出し、該位置順序関連情報に基づく相対位置情報（終端）を認識する。そして、演算処理部４３６は、認識した相対位置情報である「終端」に応じて、図示しない内部メモリ上の領域への番号設定を終了する。
以上のような処理により、演算処理部４３６は、図示しない内部メモリ上の２次元領域に設定した各領域Ａ１〜Ａ４の配列構成を認識することで、各プロジェクタ４が表示すべき部分画像の各位置の配列構成が縦２×横２（「２×２」）であると認識する。
【００７６】
また、プロジェクタ４Ａにおいては、演算処理部４３６は、自身のプロジェクタ４Ａにおける位置順序関連情報に基づく接続順序情報（４台中の最前段から１番目）に基づいて、自身のプロジェクタ４Ａが表示すべき部分画像の絶対位置が「２×２」の配列構成において「１番」に設定した領域Ａ１であると認識する（ステップＳＴ７Ａ）。
また、プロジェクタ４Ｂにおいては、演算処理部４３６は、自身のプロジェクタ４Ｂにおける位置順序関連情報に基づく接続順序情報（４台中の最前段から２番目）に基づいて、自身のプロジェクタ４Ｂが表示すべき部分画像の絶対位置が「２×２」の配列構成にお
いて「２番」に設定した領域Ａ２であると認識する（ステップＳＴ７Ｂ）。
【００７７】
また、プロジェクタ４Ｃにおいては、演算処理部４３６は、自身のプロジェクタ４Ｃにおける位置順序関連情報に基づく接続順序情報（４台中の最前段から３番目）に基づいて、自身のプロジェクタ４Ｃが表示すべき部分画像の絶対位置が「２×２」の配列構成において「３番」に設定した領域Ａ３であると認識する（ステップＳＴ７Ｃ）。
また、プロジェクタ４Ｄにおいては、演算処理部４３６は、自身のプロジェクタ４Ｄにおける位置順序関連情報に基づく接続順序情報（４台中の最前段から４番目）に基づいて、自身のプロジェクタ４Ｄが表示すべき部分画像の絶対位置が「２×２」の配列構成において「４番」に設定した領域Ａ４であると認識する（ステップＳＴ７Ｄ）。
【００７８】
なお、上記では、図５に示すように、プロジェクタ４が４台である場合の配列構成および絶対位置の認識処理を説明したが、例えば、プロジェクタ４が９台である場合には、演算処理部４３６は、以下に示すように、配列構成および絶対位置を認識する。
すなわち、プロジェクタ４が９台である場合も上記同様に、上述したステップＳＴ１〜ＳＴ６の処理により、各プロジェクタ４は、自身のプロジェクタ４の位置順序関連情報を生成する他、他の８台のプロジェクタ４の位置順序関連情報を受信して取得する。
そして、演算処理部４３６は、ステップＳＴ７において、上記同様に、９つの位置順序関連情報（図５（Ａ））に基づいて、図５（Ｂ）に示すように、図示しない内部メモリ上の２次元領域の各領域Ａ１〜Ａ９に番号を設定し、各領域Ａ１〜Ａ９の配列構成により各プロジェクタ４が表示すべき部分画像の各位置の配列構成が縦３×横３（「３×３」）であると認識する。また、演算処理部４３６は、上記同様に、自身のプロジェクタ４における位置順序関連情報に基づいて、自身のプロジェクタ４が表示すべき部分画像の絶対位置が「３×３」の配列構成において領域Ａ１〜Ａ９のうち何れの領域であるかを認識する。
【００７９】
ステップＳＴ７の後、参照画像表示制御部４３８２は、演算処理部４３６にて認識された配列構成および絶対位置に基づいて、参照画像表示制御を実施する（ステップＳＴ８）。
図６は、参照画像表示制御により表示された参照部分画像Ｆ１〜Ｆ４の一例を示す図である。なお、図６は、タイリング表示を実施する場合での参照部分画像Ｆ１〜Ｆ４の一例を示す図である。
具体的に、プロジェクタ４Ａにおいては、参照画像表示制御部４３８２は、演算処理部４３６にて認識された配列構成および絶対位置（「２×２」の配列構成において「１番」に設定した領域Ａ１）に関連付けられた参照部分画像データを参照画像情報記憶部４３７２から読み出し、参照画像表示制御を実施する（ステップＳＴ８Ａ）。
また、プロジェクタ４Ｂにおいては、参照画像表示制御部４３８２は、演算処理部４３６にて認識された配列構成および絶対位置（「２×２」の配列構成において「２番」に設定した領域Ａ２）に関連付けられた参照部分画像データを参照画像情報記憶部４３７２から読み出し、参照画像表示制御を実施する（ステップＳＴ８Ｂ）。
また、プロジェクタ４Ｃにおいては、参照画像表示制御部４３８２は、演算処理部４３６にて認識された配列構成および絶対位置（「２×２」の配列構成において「３番」に設定した領域Ａ３）に関連付けられた参照部分画像データを参照画像情報記憶部４３７２から読み出し、参照画像表示制御を実施する（ステップＳＴ８Ｃ）。
また、プロジェクタ４Ｄにおいては、参照画像表示制御部４３８２は、演算処理部４３６にて認識された配列構成および絶対位置（「２×２」の配列構成において「４番」に設定した領域Ａ４）に関連付けられた参照部分画像データを参照画像情報記憶部４３７２から読み出し、参照画像表示制御を実施する（ステップＳＴ８Ｄ）。
【００８０】
そして、図６に示すように、スクリーンＳｃ上に、プロジェクタ４Ａから拡大投射された参照部分画像Ｆ１、プロジェクタ４Ｂから拡大投射された参照部分画像Ｆ２、プロジェ
クタ４Ｃから拡大投射された参照部分画像Ｆ３、プロジェクタ４Ｄから拡大投射された参照部分画像Ｆ４が表示される。
なお、本実施形態では、図６に示すように、各参照部分画像Ｆ１〜Ｆ４が同一の画像として構成されている。
ここで、各参照部分画像Ｆ１〜Ｆ４は、上述した案内データに基づく案内情報を含んだ画像で構成されている。より具体的に、各参照部分画像Ｆ１〜Ｆ４は、隣接する参照部分画像が重なり合う重なり領域を示す情報を含んだ画像で構成されている。すなわち、各参照部分画像Ｆ１〜Ｆ４は、図６に示すように、縦横に延びる格子状の線Ｆ１Ａ，Ｆ２Ａ，Ｆ３Ａ，Ｆ４Ａを有する。本実施形態では、線Ｆ１Ａ，Ｆ２Ａ，Ｆ３Ａ，Ｆ４Ａは、図６に示すように、縦方向に７本、横方向に７本で構成されている。また、各参照部分画像Ｆ１〜Ｆ４は、図６に示すように、線Ｆ１Ａ，Ｆ２Ａ，Ｆ３Ａ，Ｆ４Ａで区画された各領域のうち重なり領域に対応する領域の色と他の領域の色とが異なるように形成されている。すなわち、図６に示すように、Ｆ１Ａ，Ｆ２Ａ，Ｆ３Ａ，Ｆ４Ａにて区画された各領域Ｆ１Ｂ，Ｆ２Ｂ，Ｆ３Ｂ，Ｆ４Ｂのうち、四隅の各角部分に対応する領域Ｆ１Ｂ１〜Ｆ１Ｂ４，Ｆ２Ｂ１〜Ｆ２Ｂ４，Ｆ３Ｂ１〜Ｆ３Ｂ４，Ｆ４Ｂ１〜Ｆ４Ｂ４（各４個の区画分）の色が黒に設定され、四隅の各角部分間の辺縁に沿う領域Ｆ１Ｂ５〜Ｆ１Ｂ８，Ｆ２Ｂ５〜Ｆ２Ｂ８，Ｆ３Ｂ５〜Ｆ３Ｂ８，Ｆ４Ｂ５〜Ｆ４Ｂ８（各８個の区画分）の色がグレーに設定され、中心に位置する領域Ｆ１Ｂ９，Ｆ２Ｂ９，Ｆ３Ｂ９，Ｆ４Ｂ９（各１６個の区画分）の色が白に設定されている。
すなわち、各参照部分画像データは、上述した線Ｆ１Ａ，Ｆ２Ａ，Ｆ３Ａ，Ｆ４Ａに関するデータや、各領域Ｆ１Ｂ，Ｆ２Ｂ，Ｆ３Ｂ，Ｆ４Ｂの色に関するデータ等の案内データを含んで構成されている。
【００８１】
そして、以上のような状態において、設置作業者は、各参照部分画像Ｆ１〜Ｆ４を確認しながら、すなわち、上述した各線Ｆ１Ａ，Ｆ２Ａ，Ｆ３Ａ，Ｆ４Ａや各領域Ｆ１Ｂ，Ｆ２Ｂ，Ｆ３Ｂ，Ｆ４Ｂを確認しながら、各プロジェクタ４Ａ〜４Ｄを設置する。
例えば、プロジェクタ４Ａを所定位置に位置付ける。次に、プロジェクタ４Ａにて拡大投射された参照部分画像Ｆ１の各領域Ｆ１Ｂ１，Ｆ１Ｂ２，Ｆ１Ｂ５に、プロジェクタ４Ｂにて拡大投射された参照部分画像Ｆ２の各領域Ｆ２Ｂ３，Ｆ２Ｂ４，Ｆ２Ｂ７がそれぞれ合致するように、プロジェクタ４Ｂを位置付ける。次に、参照部分画像Ｆ２の各領域Ｆ２Ｂ２，Ｆ２Ｂ４，Ｆ２Ｂ６にプロジェクタ４Ｃにて拡大投射された参照部分画像Ｆ３の各領域Ｆ３Ｂ１，Ｆ３Ｂ３，Ｆ３Ｂ８がそれぞれ合致し、かつ、参照部分画像Ｆ１の領域Ｆ１Ｂ２に参照部分画像Ｆ３の領域Ｆ３Ｂ３が合致するように、プロジェクタ４Ｃを位置付ける。最後に、参照部分画像Ｆ１の各領域Ｆ１Ｂ２，Ｆ１Ｂ４，Ｆ１Ｂ６にプロジェクタ４Ｄにて拡大投射された参照部分画像Ｆ４の各領域Ｆ４Ｂ１，Ｆ４Ｂ３，Ｆ４Ｂ８がそれぞれ合致し、かつ、参照部分画像Ｆ３の各領域Ｆ３Ｂ３，Ｆ３Ｂ４，Ｆ３Ｂ７に参照部分画像Ｆ４の各領域Ｆ４Ｂ１，Ｆ４Ｂ２，Ｆ４Ｂ５がそれぞれ合致するように、プロジェクタ４Ｄを位置付ける。
【００８２】
〔タイリング表示動作〕
図７は、プロジェクタ４のタイリング表示動作を説明するフローチャートである。
図８は、プロジェクタ４のタイリング表示動作を説明するための図である。
なお、以下では、各プロジェクタ４Ａ〜４Ｄは、上述した設営時でのプロジェクタの動作で説明した設置位置に位置付けられているものとする。また、画像出力装置２、画像信号分配器３、および各プロジェクタ４Ａ〜４Ｄは、設置作業者により、信号線Ｓ１〜Ｓ５により接続された状態とする。また、各プロジェクタ４Ａ〜４Ｄの各設定入力部４２の設定状態は、上述した設営時でのプロジェクタの動作で説明した状態と同一の状態のままである。さらに、画像信号分配器３から各プロジェクタ４Ａ〜４Ｄに出力される画像信号は、共通のものとする。
【００８３】
先ず、部分画像情報生成部４３８１Ａは、演算処理部４３６にて認識された配列構成および絶対位置に関連付けられた処理条件パラメータを処理条件記憶部４３７１から読み出す。そして、部分画像情報生成部４３８１Ａは、読み出した処理条件パラメータを用いて、原画像データに対して、画像データ切出処理（ステップＳＴ１１）、および画像サイズ変換処理（ステップＳＴ１２）を実施して、部分画像データを生成する（ステップＳＴ１３：部分画像情報生成ステップ）。
【００８４】
ここで、処理条件パラメータとしては、図８に示すように、原画像データにおける部分画像データの範囲の始点位置に関する始点座標と、拡大率とで構成された情報が例示できる。なお、始点座標は、切出開始位置として、例えば、切り出す矩形領域の左上部を指定するための座標Ｐ（例えば、Ｐ１，Ｐ２，Ｐ３，Ｐ４）である。また、拡大率は、切り出された画像データの拡大範囲を定めるもので、図８に示すように、原画像データＤ０の水平解像度をＷ、垂直解像度をＨ、切り出す矩形領域の水平解像度をｗ、垂直解像度をｈとすると、拡大率Ｚは、Ｚ＝Ｗ／ｗ＝Ｈ／ｈと表すことができる。なお、本実施形態では、拡大率Ｚ（Ｚ１，Ｚ２，Ｚ３，Ｚ４）＝1.75としている。
【００８５】
より具体的に、プロジェクタ４Ａの部分画像情報生成部４３８１Ａは、以下に示すように、ステップＳＴ１１〜ＳＴ１３を実施することで、部分画像データＤ１（図８）を生成する。
すなわち、ステップＳＴ１１において、部分画像情報生成部４３８１Ａは、演算処理部４３６にて認識された配列構成および絶対位置（「２×２」の配列構成において「１番」に設定した領域Ａ１）に関連付けられた処理条件パラメータである始点座標Ｐ１（０、Ｈ−Ｈ／1.75）、および拡大率Ｚ１（図８）を処理条件記憶部４３７１から読み出し、読み出した始点座標Ｐ１および拡大率Ｚ１に基づいて、終点座標Ｑ１（Ｗ／1.75、Ｈ）を算出する。そして、部分画像情報生成部４３８１Ａは、原画像データＤ０から読み出した始点座標Ｐ１、および算出した終点座標Ｑ１で設定される切出範囲の画像データＤ１Ａを切り出す。この後、ステップＳＴ１２において、部分画像情報生成部４３８１Ａは、切り出した画像データＤ１Ａに対して、読み出した拡大率Ｚ１で拡大を実施することで、ステップＳＴ１３において、部分画像データＤ１を生成する。
【００８６】
また、プロジェクタ４Ｂの部分画像情報生成部４３８１Ａは、以下に示すように、ステップＳＴ１１〜ＳＴ１３を実施することで、部分画像データＤ２（図８）を生成する。
すなわち、ステップＳＴ１１において、部分画像情報生成部４３８１Ａは、演算処理部４３６にて認識された配列構成および絶対位置（「２×２」の配列構成において「２番」に設定した領域Ａ２）に関連付けられた処理条件パラメータである始点座標Ｐ２（０、０）および拡大率Ｚ２（図８）を処理条件記憶部４３７１から読み出し、読み出した始点座標Ｐ２および拡大率Ｚ２に基づいて、終点座標Ｑ２（Ｗ／1.75、Ｈ／1.75）を算出する。そして、部分画像情報生成部４３８１Ａは、原画像データＤ０から読み出した始点座標Ｐ２、および算出した終点座標Ｑ２で設定される切出範囲の画像データＤ２Ａを切り出す。この後、ステップＳＴ１２において、部分画像情報生成部４３８１Ａは、切り出した画像データＤ２Ａに対して、読み出した拡大率Ｚ２で拡大を実施することで、ステップＳＴ１３において、部分画像データＤ２を生成する。
【００８７】
また、プロジェクタ４Ｃの部分画像情報生成部４３８１Ａは、以下に示すように、ステップＳＴ１１〜ＳＴ１３を実施することで、部分画像データＤ３（図８）を生成する。
すなわち、ステップＳＴ１１において、部分画像情報生成部４３８１Ａは、演算処理部４３６にて認識された配列構成および絶対位置（「２×２」の配列構成において「３番」に設定した領域Ａ３）に関連付けられた処理条件パラメータである始点座標Ｐ３（Ｗ−Ｗ／1.75、０）、および拡大率Ｚ３（図８）を処理条件記憶部４３７１から読み出し、読み出した始点座標Ｐ３および拡大率Ｚ３に基づいて、終点座標Ｑ３（Ｗ、Ｈ／1.75）を算出
する。そして、部分画像情報生成部４３８１Ａは、原画像データＤ０から読み出した始点座標Ｐ３、および算出した終点座標Ｑ３で設定される切出範囲の画像データＤ３Ａを切り出す。この後、ステップＳＴ１２において、部分画像情報生成部４３８１Ａは、切り出した画像データＤ３Ａに対して、読み出した拡大率Ｚ３で拡大を実施することで、ステップＳＴ１３において、部分画像データＤ３を生成する。
【００８８】
また、プロジェクタ４Ｄの部分画像情報生成部４３８１Ａは、以下に示すように、ステップＳＴ１１〜ＳＴ１３を実施することで、部分画像データＤ４（図８）を生成する。
すなわち、ステップＳＴ１１において、部分画像情報生成部４３８１Ａは、演算処理部４３６にて認識された配列構成および絶対位置（「２×２」の配列構成において「４番」に設定した領域Ａ４）に関連付けられた処理条件パラメータである始点座標Ｐ４（Ｗ−Ｗ／1.75、Ｈ−Ｈ／1.75）、および拡大率Ｚ４（図８）を処理条件記憶部４３７１から読み出し、読み出した始点座標Ｐ４および拡大率Ｚ４に基づいて、終点座標Ｑ４（Ｗ、Ｈ）を算出する。そして、部分画像情報生成部４３８１Ａは、原画像データＤ０から読み出した始点座標Ｐ４、および算出した終点座標Ｑ４で設定される切出範囲の画像データＤ４Ａを切り出す。この後、ステップＳＴ１２において、部分画像情報生成部４３８１Ａは、切り出した画像データＤ４Ａに対して、読み出した拡大率Ｚ４で拡大を実施することで、ステップＳＴ１３において、部分画像データＤ４を生成する。
【００８９】
ステップＳＴ１３の後、生成された部分画像データに対して画像補正部４３８１Ｂにて画像データ補正処理が実施される（ステップＳＴ１４）。
ステップＳＴ１４の後、パネル駆動部４３８３は、画像データ補正処理が実施された部分画像データに応じた駆動信号を生成し、液晶ライトバルブ４１２に出力し、液晶ライトバルブ４１２に部分画像データＤ１〜Ｄ４に応じた各部分画像を形成させる。そして、各プロジェクタ４Ａ〜４Ｄから各部分画像が拡大投射されスクリーンＳｃ上に投影されることで、原画像データＤ０に応じた原画像が表示される（ステップＳＴ１５）。
【００９０】
上述した第１実施形態によれば、以下の効果がある。
図９は、第１実施形態の効果を説明するための図である。具体的に、図９（Ａ）は、各プロジェクタ４が表示すべき部分画像の各位置の配列構成を「２×２」から「２×３」、「２×３」から「２×１」および「２×２」に変更した状態を示す図である。図９（Ｂ）は、配列構成を図９（Ａ）に示すように変更する際での各プロジェクタ４の各設定入力部４２における相対位置情報の設定状態の変更方法、および各プロジェクタ４を直列に接続する接続状態の変更方法を説明するための図である。なお、図９では、説明の便宜上、画像入力端子４３１Ａの図示を省略している。
本実施形態では、プロジェクタ４が送受信部４３３と、設定入力部４２と、接続状態検出部４３４、送信制御部４３５、演算処理部４３６、および部分画像情報生成部４３８１Ａを有する制御装置４３を備えているので、マルチディスプレイシステム１の設営時において、設置作業者は、従来のようにＰＣおよび各プロジェクタをカスケード接続したり、ＰＣの表示部に表示された設定画面上から処理条件を設定したりする必要がない。すなわち、設置作業者は、ＰＣを用いることなく、各プロジェクタ４の各設定入力部４２に相対位置情報を設定入力し、各プロジェクタ４を信号線Ｓ６〜Ｓ８によりカスケード接続することで、各プロジェクタ４が自律的に部分画像データの生成に必要な配列構成および絶対位置を認識するので、複雑な動作設定を実施する必要がなく、マルチディスプレイシステム１を容易に構築できる。
また、設置作業者は、処理条件を設定する必要がないので、従来のように処理条件を間違って設定しまう恐れがなく、各信号線Ｓ６〜Ｓ８の接続状態および各相対位置情報が適切に設定され、各プロジェクタ４が適切に設置されていれば、原画像を良好に表示できる。
【００９１】
また、プロジェクタ４が自律的に部分画像データの生成に必要な配列構成および絶対位置を認識するので、設置作業者は、配列構成を変更する場合、従来のようにＰＣを用いることなく、各プロジェクタ４の各設定入力部４２への相対位置情報の設定状態を変更したり、各プロジェクタ４を直列に接続する接続状態を変更したりするだけで容易に対応できる。
例えば、図９（Ａ）に示すように、上述した「２×２」の配列構成を、「２×３」の配列構成に変更する場合には、以下のように実施する。
すなわち、図９（Ｂ）に示すように、用いるプロジェクタ４として、２台（プロジェクタ４Ｅ，４Ｆ）を追加する。なお、プロジェクタ４Ｅ，４Ｆは、上述したプロジェクタ４Ａ〜４Ｄと同様の構成である。また、図９（Ｂ）に示すように、プロジェクタ４Ｄの第２の信号入出力端子４３１Ｃとプロジェクタ４Ｅの第１の信号入出力端子４３１Ｂとを信号線Ｓ９により接続し、プロジェクタ４Ｅの第２の信号入出力端子４３１Ｃとプロジェクタ４Ｆの第１の信号入出力端子４３１Ｂとを信号線Ｓ１０により接続する。さらに、プロジェクタ４Ｄにおける設定入力部４２をスライドさせ、外装筺体４４に形成された「右」の位置にスイッチトップ４２Ａを位置付ける。また、プロジェクタ４Ｅにおける設定入力部４２をスライドさせ、外装筺体４４に形成された「上」の位置にスイッチトップ４２Ａを位置付ける。さらに、プロジェクタ４Ｆにおける設定入力部４２をスライドさせ、外装筺体４４に形成された「・」の位置にスイッチトップ４２Ａを位置付ける。
以上のような作業を実施するだけで、縦２台×横２台のタイリング表示の状態から、縦２台×横３台のタイリング表示の状態に容易に変更できる。
【００９２】
また、例えば、図９（Ａ）に示すように、上述した「２×３」の配列構成を、「２×１」および「２×２」の配列構成に変更する場合には、以下のように実施する。
すなわち、図９（Ｂ）に示すように、プロジェクタ４Ｂおよびプロジェクタ４Ｃを接続する信号線Ｓ７を取り外す。また、プロジェクタ４Ｂにおける設定入力部４２をスライドさせ、外装筺体４４に形成された「・」の位置にスイッチトップ４２Ａを位置付ける。
以上のような作業を実施するだけで、縦２台×横３台のタイリング表示の状態から、縦２台×横１台のタイリング表示の状態、および縦２台×横２台のタイリング表示の状態に容易に変更できる。
【００９３】
ここで、相対位置情報を設定する設定入力部４２が機械式スイッチ部で構成されているので、設置作業者は、プロジェクタ４の電源を投入しなくても、相対位置情報を設定入力部４２に設定できる。また、設置作業者は、設定入力部４２により相対位置情報の設定状態が目視にて確認できるので、該相対位置情報を目視にて確認しながら、プロジェクタ４を所定位置に設置できる。
【００９４】
ところで、各部分画像が重なり合うことなく各部分画像によって原画像を構成する場合には、各プロジェクタが適切に設置されていないと、各部分画像間に隙間が生じ、原画像を良好に表示できない。
本実施形態では、各部分画像は、一部が重なり合う重なり領域を有して原画像を構成する。そして、部分画像情報生成部４３８１Ａは、切出範囲が部分画像の重なり領域を含んだ範囲に設定された処理条件パラメータを用いて、部分画像の重なり領域を含んだ範囲の画像データを原画像データから切り出して部分画像データを生成する。このことにより、各プロジェクタ４から拡大投射される各部分画像の一部が重なり合って原画像が表示されるので、各部分画像間に隙間が生じることがなく、原画像を良好に表示できる。
【００９５】
また、プロジェクタ４は、参照画像情報記憶部４３７２および参照画像表示制御部４３８２を備えているので、従来のようにＰＣを接続することなく、自身が表示すべき部分画像の位置に応じた参照部分画像を表示できる。このため、マルチディスプレイシステム１の設営時において、設置作業者は、各プロジェクタ４から拡大投射された各参照部分画像
を確認しながら、各プロジェクタ４を適切な位置に調整することができる。すなわち、マルチディスプレイシステム１の構築をより容易に実施できる。
【００９６】
ここで、参照画像表示制御部４３８２は、プロジェクタ４の電源投入時において、参照画像表示制御を実施する。このことにより、マルチディスプレイシステム１の設営時において、設置作業者は、各プロジェクタ４の電源を投入するだけで、各プロジェクタ４から自身が表示すべき部分画像の位置に応じた各参照部分画像が拡大投射されるので、表示された各参照部分画像を確認しながら、各プロジェクタ４を適切な位置に迅速に調整することができる。すなわち、マルチディスプレイシステム１の構築をより容易にかつ迅速に実施できる。
また、各参照部分画像には、案内情報（格子状の線Ｆ１Ａ，Ｆ２Ａ，Ｆ３Ａ，Ｆ４Ａ、各領域Ｆ１Ｂ，Ｆ２Ｂ，Ｆ３Ｂ，Ｆ４Ｂの色を異なるものに設定した情報）が含まれている。このことにより、マルチディスプレイシステム１の設営時において、設置作業者は、各プロジェクタ４から拡大投射された各参照部分画像に含まれる各案内情報を認識することで、各プロジェクタ４を適切な位置に容易にかつ高精度に調整することができる。
【００９７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図１０は、第２実施形態におけるプロジェクタ４０の構成を示すブロック図である。
本実施形態は、前記第１実施形態に対して、プロジェクタ４０（本実施形態では、前記第１実施形態と同様に、４台のプロジェクタ４０Ａ，４０Ｂ，４０Ｃ，４０Ｄ）が部分画像データにおける重なり領域（各部分画像が重なり合う領域）に対応する画像データに対して、エッジブレンディング処理を実施して明るさを調整する点が異なるのみである。すなわち、プロジェクタ４０を構成する制御装置４３の画像データ処理部４３８１（画像補正部４３８１Ｂ）の機能、およびメモリ４３７に記憶される情報が異なるのみであり、その他の構成は、前記第１実施形態と同様のものである。
【００９８】
メモリ４３７は、制御装置４３にて各種処理を実行するための制御プログラム、各種処理に必要な情報、処理された情報等を記憶する部分であり、前記第１実施形態で説明した処理条件記憶部４３７１および参照画像情報記憶部４３７２の他、重なり補正情報記憶部４３７３を備える。
重なり補正情報記憶部４３７３は、画像補正部４３８１Ｂにて実施されるエッジブレンディング処理に必要な各重なり補正パラメータを記憶する。この重なり補正パラメータは、重なり領域の範囲を示す重なり領域情報と、重なり領域情報に基づく重なり領域の画像データの明るさを調整するための明るさ補正パラメータとに関する情報である。そして、重なり補正情報記憶部４３７３は、マルチディスプレイシステムにて実現可能とする各配列構成および各絶対位置と、各重なり補正パラメータとを関連付けて（例えば、「１×１」の配列構成において「１番」に設定した領域と所定の重なり補正パラメータとを関連付け、「１×２」の配列構成において「１番」に設定した領域と所定の重なり補正パラメータとを関連付け、「１×２」の配列構成において「２番」に設定した領域と所定の重なり補正パラメータとを関連付け、・・・）記憶する。例えば、重なり補正情報記憶部４３７３は、複数の情報を区画するデータテーブルを有し、配列構成および絶対位置毎に各重なり補正パラメータをデータテーブルの各区画に対応させて記憶する構成が例示できる。
【００９９】
明るさ調整部としての画像補正部４３８１Ｂは、部分画像データに対して前記第１実施形態で説明したガンマ補正等適宜必要な画像データ補正処理を実施する機能の他、以下の機能を有する。すなわち、画像補正部４３８１Ｂは、演算処理部４３６にて認識された配列構成および絶対位置に関連付けられた重なり補正パラメータを重なり補正情報記憶部４
３７３から読み出し、読み出した重なり補正パラメータを用いて、部分画像データにおける所定の重なり領域に対応する画像データに対して、明るさ（例えば、輝度や色）を調整するエッジブレンディング処理を実施する。
【０１００】
図１１および図１２は、画像補正部４３８１Ｂによるエッジブレンディング処理を説明するための図である。
例えば、前記第１実施形態のように、部分画像データに対してエッジブレンディング処理を実施しない場合には、図１１に示すように、一部が重なり合う各部分画像をそれぞれ表示するプロジェクタ４Ａ，４Ｄによる表示画像のスクリーンＳｃ上での重なり領域における輝度値が他の領域に比べて増大してしまう。
そして、本実施形態では、画像補正部４３８１Ｂは、前記第１実施形態で説明したステップＳＴ１４において、前記第１実施形態で説明した画像データ補正処理の他、以下に示すように、エッジブレンディング処理を実施する。
すなわち、画像補正部４３８１Ｂは、演算処理部４３６にて認識された配列構成および絶対位置に関連付けられた重なり補正パラメータを重なり補正情報記憶部４３７３から読み出す。そして、画像補正部４３８１Ｂは、読み出した重なり補正パラメータに基づいて、重なり領域情報により部分画像データにおける重なり領域を認識し、図１２に示すように、部分画像データにおける重なり領域に対応する画像データに対して、明るさ補正パラメータにより、端部側に向かうにつれて次第に明るさを低下させるエッジブレンディング処理を実施する。
【０１０１】
上述した第２実施形態によれば、前記第１実施形態と同様の効果の他、以下の効果がある。
画像補正部４３８１Ｂは、エッジブレンディング処理により重なり領域に対応する画像データの明るさを調整するので、原画像において、重なり領域における輝度値を他の領域と同様の輝度値とすることができ、原画像を自然な画像にして良好に表示できる。
また、重なり領域に対応する画像データの明るさ（輝度や色）を調整する画像補正処理を実施する構成としているので、例えば、部分画像の重なり領域の明るさを光学的に調整、すなわち、拡大投射される部分画像の一部の光量を調整する遮光板を用いる構成と比較して、プロジェクタ４０の構造の簡素化が図れる。
【０１０２】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図１３は、第３実施形態におけるマルチディスプレイシステム１０の構成を示す図である。なお、図１３では、説明の便宜上、信号線Ｓ６〜Ｓ８、各プロジェクタ４の各信号入出力端子４３１Ｂ，４３１Ｃおよび各設定入力部４２の図示を省略している。
前記第１実施形態では、マルチディスプレイシステム１は、画像信号分配器３を用いて画像出力装置２からの画像信号を各プロジェクタ４Ａ〜４Ｄに分配している。
これに対して第３実施形態では、マルチディスプレイシステム１０は、図１３に示すように、信号線Ｓ１２〜Ｓ１４により各プロジェクタ４Ａ〜４Ｄを直列接続（カスケード接続）し、信号線Ｓ１２〜Ｓ１４を介して各プロジェクタ４Ａ〜４Ｄに画像信号を伝播させる構成としている。また、第３実施形態では、マルチディスプレイシステム１０は、図１３に示すように、画像信号分配器３を省略した構成としている。すなわち、各プロジェクタ４Ａ〜４Ｄを信号線Ｓ１２〜Ｓ１４により直列接続する構造、および画像信号分配器３を省略した点が前記第１実施形態と異なるのみであり、その他の構成は、前記第１実施形態と同様のものである。
【０１０３】
すなわち、各プロジェクタ４Ａ〜４Ｄには、図１３に示すように、画像入力端子４３１
Ａを介して入力した画像信号をそのまま外部に出力可能なモニタ出力端子等の画像出力端子４３１Ｄを備えている。この画像出力端子４３１Ｄとしては、例えば、画像入力端子４３１Ａにそのまま並列接続されている構成を採用できる。また、このような構成を採用した場合には、画像信号を長い距離にわたって引き回すこととなって信号が減衰してしまいノイズが混入しやすくなり、また、画像出力装置２の画像信号の出力インピーダンスが高い場合にはやはり画像信号が減衰してしまう。このため、具体的な図示は省略するが、例えば、信号処理部４３１に接続し、バッファアンプを有する信号出力部から画像出力端子４３１Ｄを介して外部に画像信号を出力する構成が好ましい。このような構成では、信号処理部４３１から出力された画像信号がバッファアンプを介して画像出力端子４３１Ｄから外部に画像信号が出力されるので、上述した画像信号の減衰を抑制できる。
【０１０４】
そして、マルチディスプレイシステム１０は、図１３に示すように、画像出力装置２とプロジェクタ４Ｂの画像入力端子４３１Ａとが信号線Ｓ１１を介して接続し、プロジェクタ４Ｂの画像出力端子４３１Ｄとプロジェクタ４Ｃの画像入力端子４３１Ａとが信号線Ｓ１２を介して接続し、プロジェクタ４Ｃの画像出力端子４３１Ｄとプロジェクタ４Ａの画像入力端子４３１Ａとが信号線Ｓ１３を介して接続し、プロジェクタ４Ａの画像出力端子４３１Ｄとプロジェクタ４Ｄの画像入力端子４３１Ａとが信号線Ｓ１４を介して接続することで、各プロジェクタ４Ａ〜４Ｄが直列接続する。このように、各プロジェクタ４Ａ〜４Ｄが直列接続されることで、画像出力装置２からの同一の画像信号が各プロジェクタ４Ａ〜４Ｄに与えられる。
【０１０５】
なお、マルチディスプレイシステム１０の動作については、前記第１実施形態で説明したマルチディスプレイシステム１の動作と同様であり、説明を省略する。
【０１０６】
上述した第３実施形態によれば、前記第１実施形態と同様の効果の他、以下の効果がある。
本実施形態においては、前記第１実施形態で説明したように信号線Ｓ６〜Ｓ８による接続状態や各設定入力部４２に設定入力された相対位置情報によりプロジェクタ４が自律的に部分画像データの生成に必要な配列構成および絶対位置を認識するので、各プロジェクタ４Ａ〜４Ｄを信号線Ｓ１２〜Ｓ１４によりカスケード接続する際、信号線Ｓ１２〜Ｓ１４の接続状態を間違えた場合であっても、各信号線Ｓ６〜Ｓ８の接続状態および各相対位置情報が適切に設定され、各プロジェクタ４Ａ〜４Ｄが適切に設置されていれば、各プロジェクタ４Ａ〜４Ｄが拡大投射する部分画像の位置が異なることなく、原画像を良好に表示できる。
また、本実施形態によれば、前記第１実施形態と比較して、画像信号分配器３を省略でき、また、必要な信号線の数を減らすことができ（前記第１実施形態では信号線Ｓ１〜Ｓ５の５本に対して、本実施形態では信号線Ｓ１１〜Ｓ１４の４本）、マルチディスプレイシステム１０を簡略化できる。
【０１０７】
なお、本発明は前述の実施形態に限定されるものではなく、本発明の目的を達成できる範囲での変形、改良等は本発明に含まれるものである。
前記各実施形態では、設定入力部４２に設定される相対位置情報として、自身のプロジェクタ４に対する自身のプロジェクタ４に直列接続された後段側のプロジェクタ４の相対位置に関する情報を採用したが、これに限らない。
例えば、相対位置情報として、自身のプロジェクタ４に対する自身のプロジェクタ４に直列接続された前段側のプロジェクタ４の相対位置に関する情報を採用しても構わない。このような構成の場合には、前記各実施形態において、プロジェクタ４Ａではスイッチトップ４２Ａを「・」に位置付け、プロジェクタ４Ｂではスイッチトップ４２Ａを「下」に位置付け、プロジェクタ４Ｃではスイッチトップ４２Ａを「左」に位置付け、プロジェクタ４Ｄではスイッチトップ４２Ａを「上」に位置付ける。
【０１０８】
また、例えば、相対位置情報として、自身のプロジェクタ４に直列接続された後段側のプロジェクタ４に対する自身のプロジェクタ４の相対位置に関する情報を採用しても構わない。このような構成の場合には、前記各実施形態において、プロジェクタ４Ａではスイッチトップ４２Ａを「下」に位置付け、プロジェクタ４Ｂではスイッチトップ４２Ａを「左」に位置付け、プロジェクタ４Ｃではスイッチトップ４２Ａを「上」に位置付け、プロジェクタ４Ｄではスイッチトップ４２Ａを「・」に位置付ける。
さらに、例えば、相対位置情報として、自身のプロジェクタ４に直列接続された前段側のプロジェクタ４に対する自身のプロジェクタ４の相対位置に関する情報を採用しても構わない。このような構成の場合には、前記各実施形態において、プロジェクタ４Ａではスイッチトップ４２Ａを「・」に位置付け、プロジェクタ４Ｂではスイッチトップ４２Ａを「上」に位置付け、プロジェクタ４Ｃではスイッチトップ４２Ａを「右」に位置付け、プロジェクタ４Ｄではスイッチトップ４２Ａを「下」に位置付ける。
以上のように、本発明においては相対位置情報としては４種類の相対位置情報を採用できる。そして、演算処理部４３６による配列構成および絶対位置の認識処理としては、各相対位置情報に応じた処理を実施するように構成すればよい。
【０１０９】
前記各実施形態では、設定入力部４２は、スライドスイッチで構成されていたが、スライドスイッチ以外の例えばディップスイッチ等の他の機械式スイッチで構成してもよく、または、機械式スイッチ以外の他の設定入力部で構成しても構わない。
【０１１０】
前記各実施形態では、演算処理部４３６は、自身のプロジェクタ４が何台中の最前段から何番目に接続されたかを示す接続順序を認識していた（ステップＳＴ４）が、自身のプロジェクタ４が何台中の最後段から何番目に接続されたかを示す接続順序を認識する構成としても構わない。また、演算処理部４３６は、接続順序を認識する際、カスケード接続された各プロジェクタ４の台数をも認識していたが、台数の認識をせずに、自身のプロジェクタ４が最前段または最後段から何番目に接続されたかを示す接続順序を認識する構成としても構わない。すなわち、このような構成とした場合には、識別情報送信制御部４３５１は、前段識別情報および後段識別情報のうちいずれか一方の情報のみを送信する構成とすることができる。すなわち、図３に示す処理フローにおいて、ステップＳＴ２，ＳＴ３のうちいずれか一方を省略することができる。
【０１１１】
前記各実施形態では、部分画像情報生成部４３８１Ａは、処理条件記憶部４３７１に記憶された各処理条件パラメータのうち、演算処理部４３６にて認識された配列構成および絶対位置に関連付けられた処理条件パラメータを用いて、部分画像データを生成していたが、これに限らない。部分画像情報生成部４３８１Ａによる部分画像データ生成処理は、演算処理部４３６にて認識された配列構成および絶対位置に基づいて、原画像データの少なくとも一部の画像データを切り出して部分画像データを生成する処理であれば、その他の処理で実施しても構わない。
【０１１２】
前記各実施形態では、各部分画像の一部が重なり合う重なり領域を有して原画像を構成する説明をしたが、これに限らず、各部分画像が重なり合うことなく各部分画像によって原画像を構成するものとしても構わない。
【０１１３】
前記各実施形態において、信号線Ｓ６〜Ｓ８による各プロジェクタ４の接続状態や、設定入力部４２への相対位置情報の設定が間違っていた場合、例えば、前記各実施形態において、プロジェクタ４Ａにおける設定入力部４２のスイッチトップ４２Ａが「・」に位置付けられている場合に、制御装置４３が画像投射部４１を駆動制御して、エラー表示、例えば、「設定入力部４２の設定が間違っている」旨のメッセージを表示させる構成としても構わない。例えば、上述した設定状態においては、演算処理部４３６は、配列構成を認
識することができないので、該配列構成を認識できないことをトリガとして、上述したエラー表示を実施する。
【０１１４】
前記各実施形態では、参照画像表示制御部４３８２は、演算処理部４３６にて認識された配列構成および絶対位置に関連付けられた参照部分画像データを参照画像情報記憶部４３７２から読み出し、該参照部分画像データに基づく参照部分画像を表示させる参照画像表示制御を実施していたが、これに限らず、以下に示すように参照画像表示制御を実施する構成としても構わない。
例えば、一画面を構成する参照原画像データを参照画像情報記憶部に記憶しておく。そして、参照画像表示制御部は、部分画像情報生成部４３８１Ａの部分画像データ生成処理と同様に、自身が表示すべき部分画像の位置に応じた切出範囲の画像データを参照原画像データから切り出して参照部分画像データを生成する。この後、参照画像表示制御部は、生成した参照部分画像データに基づく参照部分画像を表示させる参照画像表示制御を実施する。
【０１１５】
また、前記各実施形態では、各プロジェクタ４にて拡大投射される各参照部分画像Ｆ１〜Ｆ４が全て同一の画像で構成されていたが、これに限らない。例えば、参照部分画像Ｆ１においては、各領域Ｆ１Ｂのうち、各領域Ｆ１Ｂ３，Ｆ１Ｂ７，Ｆ１Ｂ８の色を白に設定する。また、参照部分画像Ｆ２においては、各領域Ｆ２Ｂのうち、各領域Ｆ２Ｂ１，Ｆ２Ｂ５，Ｆ２Ｂ８の色を白に設定する。また、参照部分画像Ｆ３においては、各領域Ｆ３Ｂのうち、Ｆ３Ｂ２，Ｆ３Ｂ５，Ｆ３Ｂ６の色を白に設定する。また、参照部分画像Ｆ４においては、各領域Ｆ４Ｂのうち、各領域Ｆ４Ｂ４，Ｆ４Ｂ６，Ｆ４Ｂ７の色を白に設定する。すなわち、隣接する参照部分画像が重なり合う領域と、重なり合わない領域とを明確に区別する。
【０１１６】
さらに、前記各実施形態において、案内情報としては、格子状の線Ｆ１Ａ，Ｆ２Ａ，Ｆ３Ａ，Ｆ４Ａや、各領域Ｆ１Ｂ，Ｆ２Ｂ，Ｆ３Ｂ，Ｆ４Ｂの色を異なるものに設定した情報を採用したが、これに限らない。
例えば、案内情報として、数や文字等を採用しても構わない。例えば、参照部分画像Ｆ１においては、「１」の数字や「Ａ」の文字を含んだ画像とする。また、参照部分画像Ｆ２においては、「２」の数字や「Ｂ」の文字を含んだ画像とする。また、参照部分画像Ｆ３においては、「３」の数字や「Ｃ」の文字を含んだ画像とする。また、参照部分画像Ｆ４においては、「４」の数字や「Ｄ」の文字を含んだ画像とする。
また、例えば、案内情報を含まない参照部分画像としても構わない。
【０１１７】
前記各実施形態では、各部分画像を並べることで原画像を構成する「タイリング表示」を説明したが、前記各実施形態で説明したプロジェクタ４は、各部分画像の全ての領域を重ねて原画像を構成する「スタック表示」も実施可能に構成されているものである。すなわち、この「スタック表示」を実施する際には、例えば、各プロジェクタ４において、各設定入力部４２の各スイッチトップ４２Ａを外装筺体４４に形成された「・」の位置に位置付けるとともに、各プロジェクタ４を接続する信号線Ｓ６〜Ｓ８を取り外す。以上のような接続状態および設定状態により、各プロジェクタ４において、各演算処理部４３６は、配列構成および絶対位置として「１×１」の配列構成において「１番」に設定された領域であると認識する。そして、各部分画像情報生成部４３８１Ａは、演算処理部４３６にて認識された配列構成および絶対位置（「１×１」の配列構成において「１番」に設定された領域）に関連付けられた処理条件パラメータを処理条件記憶部４３７１から読み出し、読み出した処理条件パラメータを用いて、原画像データに対して画像データ切出処理（原画像データの全ての領域を切り出す）および画像サイズ変換処理（拡大率１）を実施して、すなわち、原画像データを部分画像データとする。
【０１１８】
また、以上の「スタック表示」を実施する際には、参照画像表示制御部４３８２は、以下に示す参照部分画像Ｆ１´，Ｆ２´，Ｆ３´，Ｆ４´を表示させる参照画像表示制御を実施するものである。
図１３は、スタック表示を実施する場合での参照部分画像Ｆ１´，Ｆ２´，Ｆ３´，Ｆ４´の一例を示す図である。なお、図１３中、中央部分の画像は、スタック表示された、すなわち、参照部分画像Ｆ１´，Ｆ２´，Ｆ３´，Ｆ４´を重ねた状態の参照原画像を示している。
すなわち、参照画像表示制御部４３８２は、演算処理部４３６にて認識された配列構成および絶対位置（「１×１」の配列構成において「１番」に設定された領域）に関連付けられた参照部分画像データを参照画像情報記憶部４３７２から読み出し、読み出した参照部分画像データに基づく参照部分画像を液晶ライトバルブ４１２に形成させる参照画像表示制御を実施する。
ここで、各参照部分画像Ｆ１´〜Ｆ４´は、図１３に示すように、各プロジェクタ４の設置位置を調整するための案内情報を含んだ画像で構成されている。より具体的に、各参照部分画像Ｆ１´〜Ｆ４´は、図１３に示すように、縦横に延びる格子状の線Ｆ１Ａ１´，Ｆ２Ａ１´，Ｆ３Ａ１´，Ｆ４Ａ１´と、一対の対角線Ｆ１Ａ２´，Ｆ２Ａ２´，Ｆ３Ａ２´，Ｆ４Ａ２´とを有する。なお、図１３の例では、線Ｆ１Ａ１´，Ｆ２Ａ１´，Ｆ３Ａ１´，Ｆ４Ａ１´は、縦方向に７本、横方向に７本で構成されている。そして、マルチディスプレイシステム１の設営時において、設置作業者は、各参照部分画像Ｆ１´〜Ｆ４´を確認しながら、すなわち、各線Ｆ１Ａ１´〜Ｆ４Ａ１´がそれぞれ合致しかつ、各一対の対角線Ｆ１Ａ２´〜Ｆ４Ａ２´がそれぞれ合致するように、各プロジェクタ４Ａ〜４Ｄを設置する。
【０１１９】
前記第２実施形態では、明るさ調整部として画像補正部４３８１Ｂを採用したが、これに限らず、部分画像の重なり領域の明るさを光学的に調整、すなわち、拡大投射される部分画像の一部の光量を調整する遮光板を採用しても構わない。
また、前記第２実施形態では、画像補正部４３８１Ｂは、部分画像データにおける重なり領域に対応する画像データに対して、端部側に向かうにつれて次第に明るさを低下させるエッジブレンディング処理を実施していたが、これに限らず、重なり領域に対応する画像データの輝度値を全て略０にする処理や、重なり領域に対応する画像データの色を全て黒にする処理等を採用しても構わない。
【０１２０】
前記第３実施形態における各プロジェクタ４を信号線Ｓ１２〜Ｓ１４によりカスケード接続する構成に、前記第２実施形態で説明したエッジブレンディング処理を実施する機能を付加しても構わない。
前記各実施形態では、信号線Ｓ１〜Ｓ１４として、ＵＳＢ(Universal Serial Bus)ケーブル、ＬＡＮ(Local Area Network)ケーブル等の有線で信号を伝送するものとして説明したが、これに限らず、無線媒体（電波、音、赤外線等）を介して信号を伝送する規格で構成しても構わない。
【０１２１】
前記各実施形態では、透過型の液晶パネル（液晶ライトバルブ４１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ４１２を３枚設けた構成としていたが、これに限らず、１枚のみの液晶ライトバルブ４１２を設ける構成、２枚の液晶ライトバルブ４１２を設ける構成、４枚以上の液晶ライトバルブ４１２を設ける構成としてもよい。
【０１２２】
前記各実施形態では、表示装置としてプロジェクタを採用していたが、これに限らず、直視型のディスプレイ（プラズマや液晶、ＣＲＴ(Cathode-Ray Tube)ディスプレイ等）で構成しても構わない。このように直視型のディスプレイを表示装置として構成した場合に
は、前記各実施形態で説明した重なり領域とは異なり、各ディスプレイのエッジの部分が生じてしまうので、該エッジの部分を例えば前記第２実施形態で説明した画像補正処理と同様に明るさを調整して目立たなくすることが好ましい。
【０１２３】
さらに、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１２４】
本発明の表示装置は、マルチディスプレイシステムを容易に構築できるため、プレゼンテーション等に用いられるマルチディスプレイシステムを構成する表示装置に利用できる。
【図面の簡単な説明】
【０１２５】
【図１】第１実施形態におけるマルチディスプレイシステムの構成を示す図。
【図２】前記実施形態におけるプロジェクタの構成を示すブロック図。
【図３】前記実施形態におけるマルチディスプレイシステムの設営時におけるプロジェクタの動作を説明するフローチャート。
【図４】前記実施形態における演算処理部による配列構成および絶対位置の認識処理を説明するための図。
【図５】前記実施形態における演算処理部による配列構成および絶対位置の認識処理を説明するための図。
【図６】前記実施形態における参照画像表示制御により表示された参照部分画像の一例を示す図。
【図７】前記実施形態におけるタイリング表示動作を説明するフローチャート。
【図８】前記実施形態におけるタイリング表示動作を説明するための図。
【図９】前記実施形態の効果を説明するための図。
【図１０】第２実施形態におけるプロジェクタの構成を示すブロック図。
【図１１】前記実施形態における画像補正部によるエッジブレンディング処理を説明するための図。
【図１２】前記実施形態における画像補正部によるエッジブレンディング処理を説明するための図。
【図１３】第３実施形態におけるマルチディスプレイシステムの構成を示す図。
【図１４】前記各実施形態におけるスタック表示を実施する場合での参照部分画像の一例を示す図。
【符号の説明】
【０１２６】
１，１０・・・マルチディスプレイシステム、４，４Ａ〜４Ｆ，４０，４０Ａ〜４０Ｄ・・・プロジェクタ（表示装置）、４１・・・画像投射部（表示部）、４２・・・設定入力部、４３・・・制御装置、４３４・・・接続状態検出部、４３６・・・演算処理部（接続順序認識部、構成位置認識部）、４３３１・・・第１の送受信部、４３３２・・・第２の送受信部、４３５１・・・識別情報送信制御部、４３５２・・・関連情報送信制御
部、４３８１Ａ・・・部分画像情報生成部、４３８１Ｂ・・・画像補正部（明るさ調整部）、４３８２・・・参照画像表示制御部、ＳＴ１・・・接続状態検出ステップ、ＳＴ２，
ＳＴ３・・・識別情報送信制御ステップ、ＳＴ４・・・接続順序認識ステップ、ＳＴ６・・・関連情報送信制御ステップ、ＳＴ７・・・構成位置認識ステップ、ＳＴ１３・・・部分画像情報生成ステップ。
【図１】
2008040206.tif 000003
【図２】
2008040206.tif 000004
【図３】
2008040206.tif 000005
【図４】
2008040206.tif 000006
【図５】
2008040206.tif 000007
【図６】
2008040206.tif 000008
【図７】
2008040206.tif 000009
【図８】
2008040206.tif 000010
【図９】
2008040206.tif 000011
【図１０】
2008040206.tif 000012
【図１１】
2008040206.tif 000013
【図１２】
2008040206.tif 000014
【図１３】
2008040206.tif 000015
【図１４】
2008040206.tif 000016
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
表示装置であって、
他の表示装置に接続し、接続された前記他の表示装置との間でそれぞれ情報を送受信す
るための送受信部と、
前記接続された他の表示装置が表示する部分画像と当該表示装置が表示する部分画像と
の相対位置に関する相対位置情報を設定入力可能とする設定入力部と、
原画像情報から部分画像情報を生成し、前記部分画像情報に基づく部分画像を表示部に
表示させる制御装置とを備え、
前記制御装置は、
前記送受信部を介して、前記設定入力部に設定入力された相対位置情報に関連する位置
順序関連情報を送信させる関連情報送信制御部と、
当該表示装置における位置順序関連情報、および受信した他の表示装置における各位置
順序関連情報に基づいて、原画像における当該表示装置が表示すべき部分画像の絶対位置
を認識する構成位置認識部と、
前記構成位置認識部にて認識された前記絶対位置に基づいて、前記原画像情報の少なく
とも一部の画像情報を切り出して前記部分画像情報を生成する部分画像情報生成部とを備
えている
ことを特徴とする表示装置。
【請求項２】
請求項１に記載の表示装置であって、
前記制御装置は、
前記送受信部の接続状態を検出する接続状態検出部と、
前記接続状態検出部にて検出された接続状態に応じて、前記送受信部を介して、当該表
示装置に割り当てられた識別情報を送信させる識別情報送信制御部と、
前記接続状態検出部にて検出された接続状態、および受信した前記識別情報のうち少な
くともいずれかに基づいて、前記複数の表示装置における当該表示装置の接続順序を認識
する接続順序認識部と、
をさらに備え、
前記関連情報送信制御部が送信させる前記位置順序関連情報は、
前記接続順序認識部にて認識された接続順序に関する接続順序情報、にさらに関連する
ものである、  ことを特徴とする表示装置。
【請求項３】
請求項１に記載の表示装置であって、
前記送受信部は、
第１の送受信部および第２の送受信部と、を備え、
前記制御装置は、
前記第１の送受信部の接続状態、および前記第２の送受信部の接続状態を検出する接続
状態検出部と、
前記接続状態検出部にて検出された接続状態に応じて、前記第１の送受信部および前記
第２の送受信部のうちいずれかの送受信部を介して、当該表示装置に割り当てられた識別
情報を送信させる識別情報送信制御部と、
前記接続状態検出部にて検出された接続状態、および受信した前記識別情報のうち少な
くともいずれかに基づいて、前記複数の表示装置における当該表示装置の接続順序を認識
する接続順序認識部と、
をさらに備え、
前記関連情報送信制御部が送信させる前記位置順序関連情報は、
前記第１の送受信部および前記第２の送受信部のうち少なくともいずれかの送受信部を
介して、前記設定入力部に設定入力された相対位置情報、および前記接続順序認識部にて
認識された接続順序に関する接続順序情報、に関連するものであり、
前記構成位置認識部は、当該表示装置における位置順序関連情報、および受信した他の
全ての表示装置における各位置順序関連情報に基づいて、前記当該表示装置が表示すべき
部分画像の絶対位置を認識する、
ことを特徴とする表示装置。
【請求項４】
請求項１に記載の表示装置において、
前記各部分画像は、少なくとも一部が重なり合う重なり領域を有して前記原画像を構成
するものであり、
前記部分画像情報生成部は、前記部分画像の重なり領域を含んだ範囲の画像情報を前記
原画像情報から切り出して前記部分画像情報を生成する
ことを特徴とする表示装置。
【請求項５】
請求項４に記載の表示装置において、
前記部分画像の重なり領域の明るさを調整する明るさ調整部を備えている
ことを特徴とする表示装置。
【請求項６】
請求項１に記載の表示装置において、
前記制御装置は、
前記構成位置認識部にて認識された前記絶対位置に基づいて、一画面の少なくとも一部
を構成する参照部分画像を前記表示部に表示させる参照画像表示制御を実施する参照画像
表示制御部を備えている
ことを特徴とする表示装置。
【請求項７】
請求項６に記載の表示装置において、
前記参照画像表示制御部は、当該表示装置の電源投入時において、前記参照画像表示制
御を実施する
ことを特徴とする表示装置。
【請求項８】
請求項６に記載の表示装置において、
前記参照部分画像は、当該表示装置の設置位置を調整するための案内情報を含んで構成
されている
ことを特徴とする表示装置。
【請求項９】
マルチディスプレイシステムであって、
マルチディスプレイシステムを構成する複数の表示装置が、請求項１に記載の表示装置
で構成されている
ことを特徴とするマルチディスプレイシステム。
【請求項１０】
表示装置の画像情報生成方法であって、
前記表示装置は、
他の表示装置に接続し、接続された前記他の表示装置との間でそれぞれ情報を送受信す
るための送受信部と、
前記接続された他の表示装置が表示する部分画像と自身の表示装置が表示する部分画像
との相対位置に関する相対位置情報を設定入力可能とする設定入力部と、
原画像情報から部分画像情報を生成し、前記部分画像情報に基づく部分画像を表示部に
表示させる制御装置とを備え、
当該画像情報生成方法は、
前記制御装置が、
前記送受信部を介して、前記設定入力部に設定入力された相対位置情報に関連する位置
順序関連情報を送信させる関連情報送信制御ステップと、
自身の表示装置における位置順序関連情報、および受信した他の表示装置における各位
置順序関連情報に基づいて、前記原画像における自身の表示装置が表示すべき部分画像の
絶対位置を認識する構成位置認識ステップと、
前記構成位置認識ステップにて認識した前記絶対位置に基づいて、前記原画像情報の少
なくとも一部の画像情報を切り出して前記部分画像情報を生成する部分画像情報生成ステ
ップとを実行する
ことを特徴とする画像情報生成方法。
【請求項１１】
入力した原画像情報から部分画像情報を生成し前記部分画像情報に基づく部分画像を表
示可能に構成され、直列に接続された複数の表示装置を有し、前記複数の表示装置が表示
する各部分画像によって前記原画像情報に基づく原画像を表示するマルチディスプレイシ
ステムに用いられる表示装置の画像情報生成プログラムであって、
前記表示装置は、
他の表示装置に接続し、接続された前記他の表示装置との間でそれぞれ情報を送受信す
るための第１の送受信部および第２の送受信部と、
前記接続された他の表示装置が表示する部分画像と自身の表示装置が表示する部分画像
との相対位置に関する相対位置情報を設定入力可能とする設定入力部と、
前記原画像情報から前記部分画像情報を生成し、前記部分画像情報に基づく部分画像を
表示部に表示させる制御装置とを備え、
前記第１の送受信部の接続状態、および前記第２の送受信部の接続状態を検出する接続
状態検出ステップと、
前記接続状態検出ステップにて検出した接続状態に応じて、前記第１の送受信部および
前記第２の送受信部のうちいずれかの送受信部を介して、自身の表示装置に割り当てられ
た識別情報を送信させる識別情報送信制御ステップと、
前記接続状態検出ステップにて検出した接続状態、および受信した前記識別情報のうち
少なくともいずれかに基づいて、前記複数の表示装置における自身の表示装置の接続順序
を認識する接続順序認識ステップと、
前記第１の送受信部および前記第２の送受信部のうち少なくともいずれかの送受信部を
介して、前記設定入力部に設定入力された相対位置情報、および前記接続順序認識ステッ
プにて認識した接続順序に関する接続順序情報を関連付けた位置順序関連情報を送信させ
る関連情報送信制御ステップと、
自身の表示装置における位置順序関連情報、および受信した他の全ての表示装置におけ
る各位置順序関連情報に基づいて、前記原画像における自身の表示装置が表示すべき部分
画像の絶対位置を認識する構成位置認識ステップと、
前記構成位置認識ステップにて認識した前記絶対位置に基づいて、前記原画像情報の少
なくとも一部の画像情報を切り出して前記部分画像情報を生成する部分画像情報生成ステ
ップとを前記制御装置に実行させる
ことを特徴とする画像情報生成プログラム。
【請求項１２】
請求項１１に記載の画像情報生成プログラムがコンピュータに読取可能に記録されてい
ることを特徴とする画像情報生成プログラムを記録した記録媒体。
【手続補正２】
【補正対象書類名】明細書
【補正対象項目名】００３７
【補正方法】変更
【補正の内容】
【００３７】
さらに、プロジェクタ４ＣがスクリーンＳｃを背面側から見て右上部分に部分画像を拡
大投射する必要があり、プロジェクタ４Ｃの後段側に接続されるプロジェクタ４Ｄがスク
リーンＳｃを背面側から見て右下部分に部分画像を拡大投射する必要がある。すなわち、
プロジェクタ４Ｃの設置位置から見て、プロジェクタ４Ｄの設置位置を下に位置付ける必
要がある。このため、プロジェクタ４Ｃにおいては、図１に示すように、設定入力部４２
をスライドさせて、外装筺体４４に形成された「下」の位置にスイッチトップ４２Ａを位
置付ける。
【手続補正３】
【補正対象書類名】明細書
【補正対象項目名】００４３
【補正方法】変更
【補正の内容】
【００４３】
例えば、接続状態検出部４３４による接続状態の検出処理としては、例えば、以下の処
理が例示できる。
すなわち、接続状態検出部４３４は、第１の送受信部４３３１および第２の送受信部４
３３２に適宜、所定の信号（接続信号）を送信させる構成とする。また、接続状態検出部
４３４は、第１の送受信部４３３１および第２の送受信部４３３２に適宜、前記接続信号
の受信に応じて所定の信号（応答信号）を送信させる構成とする。そして、接続状態検出
部４３４は、第１の送受信部４３３１を介して前記応答信号を取得することで、第１の信
号入出力端子４３１Ｂを介して信号線により他のプロジェクタ４と第１の送受信部４３３
１とが接続状態である（第１の送受信部４３３１が接続状態である）旨を検出する。すな
わち、接続状態検出部４３４は、第１の送受信部４３３１を介して前記応答信号を取得し
ていない状態の場合に、第１の信号入出力端子４３１Ｂを介して信号線により他のプロジ
ェクタ４と第１の送受信部４３３１とが接続状態でない（第１の送受信部４３３１が非接
続状態である）旨を検出する。また、接続状態検出部４３４は、第２の送受信部４３３２
を介して前記応答信号を取得することで、第２の信号入出力端子４３１Ｃを介して信号線
により他のプロジェクタ４と第２の送受信部４３３２とが接続状態である（第２の送受信
部４３３２が接続状態である）旨を検出する。すなわち、接続状態検出部４３４は、第２
の送受信部４３３２を介して前記応答信号を取得していない状態の場合に、第２の信号入
出力端子４３１Ｃを介して信号線により他のプロジェクタ４と第２の送受信部４３３２と
が接続状態でない（第２の送受信部４３３２が非接続状態である）旨を検出する。
なお、接続状態検出部４３４による接続状態の検出処理としては、上述した処理に限ら
ず、その他の処理により接続状態を検出する構成としても構わない。